(57)【要約】  本明細書では、基材（例えば種子）の表面からの、３，５−二置換１，２，４−オキサジアゾールなどの固体化合物の昇華の防止のための組成物及び上記昇華の防止方法が提供される。
2020508059.tif 000002
【特許請求の範囲】
【請求項１】
３，５−二置換１，２，４−オキサジアゾールを含む殺線虫組成物を昇華防止剤と混合して種子処理混合物を形成することと、
前記種子処理混合物を種子に塗布することと
を含む、処理された種子の製造方法。
【請求項２】
３，５−二置換１，２，４−オキサジアゾールを含む殺線虫組成物を含む第１の種子処理混合物を種子に塗布することと、
昇華防止剤を含む第２の種子処理混合物を前記種子に塗布して、処理された種子を形成することと
を含む、処理された種子の製造方法。
【請求項３】
３，５−二置換１，２，４−オキサジアゾール及び昇華防止剤を含む種子処理混合物。
【請求項４】
前記種子処理混合物中の前記３，５−二置換１，２，４−オキサジアゾールの濃度が、約２５重量％以下、約２０重量％以下、もしくは約１５重量％以下である、請求項３に記載の種子処理混合物。
【請求項５】
前記種子処理混合物中の前記昇華防止剤の濃度が、少なくとも約５重量％、少なくとも約１０重量％、少なくとも約１５重量％、または少なくとも約２０重量％である、請求項３または請求項４に記載の種子処理混合物。
【請求項６】
請求項４または請求項５に記載の種子処理混合物を種子に塗布することを含む、処理された種子の製造方法。
【請求項７】
前記昇華防止剤が、アクリルポリマー、ビニルポリマー、アルキルナフタレンスルホン酸塩、スルホン酸塩縮合物、リグニンスルホン酸塩、及びそれらの混合物からなる群より選択されるポリマーを含む、請求項１〜６のいずれか１項に記載の方法または混合物。
【請求項８】
前記昇華防止剤がアクリルポリマーを含む、請求項７に記載の方法または混合物。
【請求項９】
前記昇華防止剤が、アクリル酸及び１種もしくは複数種の更なるモノマーに由来する共重合体を含む、請求項８に記載の方法または混合物。
【請求項１０】
前記昇華防止剤が、オレフィン−アクリル共重合体、スチレン−アクリル共重合体、及びそれらの混合物からなる群より選択される共重合体を含む、請求項９に記載の方法または混合物。
【請求項１１】
前記昇華防止剤がポリ（メタクリル酸メチル）ポリマーを含む、請求項８に記載の方法または混合物。
【請求項１２】
前記昇華防止剤がビニルポリマーを含む、請求項７に記載の方法または混合物。
【請求項１３】
前記ビニルポリマーがポリ酢酸ビニル−ポリビニルピロリドン共重合体を含む、請求項１２に記載の方法または混合物。
【請求項１４】
前記昇華防止剤がスルホン酸塩縮合物を含む、請求項７に記載の方法または混合物。
【請求項１５】
前記スルホン酸塩縮合物が、ナフタレンスルホン酸塩縮合物、フェノールスルホン酸ナトリウム縮合物、及びそれらの混合物からなる群より選択されるポリマーを含む、請求項１４に記載の方法または混合物。
【請求項１６】
前記スルホン酸塩縮合物がフェノールスルホン酸ナトリウム縮合物を含む、請求項１５に記載の方法または混合物。
【請求項１７】
前記昇華防止剤がアルキルナフタレンスルホン酸塩を含む、請求項７に記載の方法または混合物。
【請求項１８】
前記昇華防止剤がリグニンスルホン酸塩を含む、請求項７に記載の方法または混合物。
【請求項１９】
前記リグニンスルホン酸塩がリグノスルホン酸ナトリウムを含む、請求項１８に記載の方法または混合物。
【請求項２０】
前記昇華防止剤が前記ポリマー鎖中に芳香族官能基を含む、請求項７〜１９のいずれか1項に記載の方法または混合物。
【請求項２１】
前記３，５−二置換１，２，４−オキサジアゾールが式（Ｉ）
【化１】
2020508059.tif 000020
の化合物またはその塩であって、
式中、
Ａは、それぞれが独立に、任意選択でハロゲン、ＣＦ３、ＣＨ３、ＯＣＦ３、ＯＣＨ３、ＣＮ、及びＣ（Ｈ）Ｏからなる群より選択される１もしくは複数の置換基で置換されていてもよいフェニル、ピリジル、ピラジル、オキサゾリル、及びイソオキサゾリルからなる群より選択され、
Ｃは、それぞれが独立に、任意選択でＦ、Ｃｌ、ＣＨ３、及びＯＣＦ３からなる群より選択される１もしくは複数の置換基で置換されていてもよいチエニル、フラニル、オキサゾリル、及びイソオキサゾリルからなる群より選択される
前記化合物またはその塩である、請求項１〜２０のいずれか１項に記載の方法あるいは混合物。
【請求項２２】
前記３，５−二置換１，２，４−オキサジアゾールが式（Ｉａ）
【化２】
2020508059.tif 000021
の化合物またはその塩であって、
式中、
Ｒ１及びＲ５は独立に、水素、ＣＨ３、Ｆ、Ｃｌ、Ｂｒ、ＣＦ３、及びＯＣＦ３から選択され、
Ｒ２及びＲ４は独立に、水素、Ｆ、Ｃｌ、Ｂｒ、及びＣＦ３から選択され、
Ｒ３は、水素、ＣＨ３、ＣＦ３、Ｆ、Ｃｌ、Ｂｒ、ＯＣＦ３、ＯＣＨ３、ＣＮ、及びＣ（Ｈ）Ｏから選択され、
Ｒ７及びＲ８は独立に、水素及びＦから選択され、
Ｒ９は、水素、Ｆ、Ｃｌ、ＣＨ３、及びＯＣＦ３から選択され、
ＥはＯもしくはＳである
前記化合物またはその塩である、請求項２１に記載の方法あるいは混合物。
【請求項２３】
前記３，５−二置換１，２，４−オキサジアゾールが、３−フェニル−５−（チオフェン−２−イル）−１，２，４−オキサジアゾール、３−（４−クロロフェニル）−５−（フラン−２−イル）−１，２，４−オキサジアゾール、３−（４−クロロ−２−メチルフェニル）−５−（フラン−２−イル）−１，２，４−オキサジアゾール、及び５−（フラン−２−イル）−３−フェニル−１，２，４−オキサジアゾールからなる群より選択される化合物である、請求項２２に記載の方法または混合物。
【請求項２４】
前記３，５−二置換１，２，４−オキサジアゾールが３−フェニル−５−（チオフェン−２−イル）−１，２，４−オキサジアゾールである、請求項２３に記載の方法または混合物。
【請求項２５】
前記３，５−二置換１，２，４−オキサジアゾールが式（Ｉｂ）
【化３】
2020508059.tif 000022
の化合物またはその塩であって、
式中、
Ｒ１及びＲ５は独立に、水素、ＣＨ３、Ｆ、Ｃｌ、Ｂｒ、ＣＦ３、及びＯＣＦ３からなる群より選択され、
Ｒ２及びＲ４は独立に、水素、Ｆ、Ｃｌ、Ｂｒ、及びＣＦ３からなる群より選択され、
Ｒ３は、水素、ＣＨ３、ＣＦ３、Ｆ、Ｃｌ、Ｂｒ、ＯＣＦ３、ＯＣＨ３、ＣＮ、及びＣ（Ｈ）Ｏからなる群より選択され、
Ｒ８は水素及びＦから選択され、
Ｒ６及びＲ９は独立に、水素、Ｆ、Ｃｌ、ＣＨ３、及びＯＣＦ３からなる群より選択され、
ＥはＯもしくはＳである
前記化合物またはその塩である、請求項２１に記載の方法あるいは混合物。
【請求項２６】
前記３，５−二置換１，２，４−オキサジアゾールが、３−（４−ブロモフェニル）−５−（フラン−３−イル）−１，２，４−オキサジアゾール及び３−（２，４−ジフルオロフェニル）−５−（チオフェン−３−イル）−１，２，４−オキサジアゾールからなる群より選択される化合物である、請求項２５に記載の方法または混合物。
【請求項２７】
前記３，５−二置換１，２，４−オキサジアゾールが式（ＩＩ）
【化４】
2020508059.tif 000023
の化合物またはその塩であって、
式中、
Ａは、それぞれが独立に、任意選択でハロゲン、ＣＦ３、ＣＨ３、ＯＣＦ３、ＯＣＨ３、ＣＮ、及びＣ（Ｈ）Ｏからなる群より選択される１もしくは複数の置換基で置換されていてもよいフェニル、ピリジル、ピラジル、オキサゾリル、及びイソオキサゾリルからなる群より選択され、
Ｃは、それぞれが独立に、任意選択でＦ、Ｃｌ、ＣＨ３、及びＯＣＦ３からなる群より選択される１もしくは複数の置換基で置換されていてもよいチエニル、フラニル、オキサゾリル、及びイソオキサゾリルからなる群より選択される
前記化合物またはその塩である、請求項１〜２０のいずれか１項に記載の方法あるいは混合物。
【請求項２８】
前記３，５−二置換１，２，４−オキサジアゾールが式（ＩＩａ）
【化５】
2020508059.tif 000024
の化合物またはその塩であって、
式中、
Ｒ１及びＲ５は独立に、水素、ＣＨ３、Ｆ、Ｃｌ、Ｂｒ、ＣＦ３、及びＯＣＦ３からなる群より選択され、
Ｒ２及びＲ４は独立に、水素、Ｆ、Ｃｌ、Ｂｒ、及びＣＦ３からなる群より選択され、
Ｒ３は、水素、ＣＨ３、ＣＦ３、Ｆ、Ｃｌ、Ｂｒ、ＯＣＦ３、ＯＣＨ３、ＣＮ、及びＣ（Ｈ）Ｏからなる群より選択され、
Ｒ７及びＲ８は独立に、水素及びＦから選択され、
Ｒ９は、水素、Ｆ、Ｃｌ、ＣＨ３、及びＯＣＦ３からなる群より選択され、
ＥはＯもしくはＳである
前記化合物またはその塩である、請求項２７に記載の方法あるいは混合物。
【請求項２９】
前記３，５−二置換１，２，４−オキサジアゾールが、３−（チオフェン−２−イル）−５−（ｐ−トリル）−１，２，４−オキサジアゾール、５−（３−クロロフェニル）−３−（チオフェン−２−イル）−１，２，４−オキサジアゾール、及び５−（４−クロロ−２−メチルフェニル）−３−（フラン−２−イル）−１，２，４−オキサジアゾールからなる群より選択される化合物である、請求項２８に記載の方法または混合物。
【請求項３０】
前記３，５−二置換１，２，４−オキサジアゾールが式（ＩＩｂ）
【化６】
2020508059.tif 000025
の化合物またはその塩であって、
式中、
Ｒ１及びＲ５は独立に、水素、ＣＨ３、Ｆ、Ｃｌ、Ｂｒ、ＣＦ３、及びＯＣＦ３からなる群より選択され、
Ｒ２及びＲ４は独立に、水素、Ｆ、Ｃｌ、Ｂｒ、及びＣＦ３からなる群より選択され、
Ｒ３は、水素、ＣＨ３、ＣＦ３、Ｆ、Ｃｌ、Ｂｒ、ＯＣＦ３、ＯＣＨ３、ＣＮ、及びＣ（Ｈ）Ｏからなる群より選択され、
Ｒ８は水素及びＦから選択され、
Ｒ６及びＲ９は独立に、水素、Ｆ、Ｃｌ、ＣＨ３、及びＯＣＦ３からなる群より選択され、
ＥはＯもしくはＳである
前記化合物またはその塩である、請求項２７に記載の方法あるいは混合物。
【請求項３１】
前記殺線虫組成物または種子処理混合物が水性懸濁液濃縮物の形態である、請求項１〜３０のいずれか１項に記載の方法または混合物。
【請求項３２】
前記種子処理混合物中の前記昇華防止剤と前記３，５−二置換１，２，４−オキサジアゾールとの重量比が、少なくとも約０．２：１、０．２５：１、少なくとも約０．３：１、少なくとも約０．４：１、または少なくとも約０．５：１である、請求項１または３〜３１のいずれか１項に記載の方法または混合物。
【請求項３３】
前記種子処理混合物中の前記昇華防止剤と前記３，５−二置換１，２，４−オキサジアゾールとの重量比が、約０．２：１〜約４：１、約０．２：１から約２：１、約０．２：１〜約１：１、約０．２５：１〜約１：１、または約０．２５：１〜約０．７５：１である、請求項１または３〜３２のいずれか１項に記載の方法または混合物。
【請求項３４】
請求項１、２、または６〜３３のいずれか１項に記載の方法に従って製造された処理された種子。
【請求項３５】
基材の表面からの固体化合物の昇華の防止方法であって、
昇華防止剤を含む処理組成物で前記固体化合物を被覆することを含む
前記方法。
【請求項３６】
基材の表面からの固体化合物の昇華の防止方法であって、
昇華防止剤を含む処理組成物で前記固体化合物を被覆することを含み、
前記昇華防止剤が、アクリルポリマー、ビニルポリマー、アルキルナフタレンスルホン酸塩、スルホン酸塩縮合物、リグニンスルホン酸塩、及びそれらの混合物からなる群より選択されるポリマーを含む前記方法。
【発明の詳細な説明】
【技術分野】
【０００１】
本明細書では、基材（例えば種子）の表面からの、３，５−二置換１，２，４−オキサジアゾールなどの固体化合物の昇華の防止方法が提供される。
【背景技術】
【０００２】
昇華は、中間の液相を経ない、直接固相から気相への物質の転移である。化合物の基材への塗布において、塗布された固体化合物は直接気相に転移する、すなわち昇華する場合がある。業界では、基材上の固体化合物の昇華を制御及び／または防止することが急務である。
【０００３】
例えば、ある種の３，５−二置換１，２，４−オキサジアゾールは、強力で広範囲な殺線虫活性を示すことが明らかになっている。概括的には米国特許第８，４３５，９９９号及び第８，０１７，５５５号を参照されたく、それらの内容は参照により本明細書に明示的に援用される。米国特許第８，４３５，９９９号及び第８，０１７，５５５号に開示される３，５−二置換１，２，４−オキサジアゾールは、概して水溶性が低いという特徴を有する。
【０００４】
水性媒体中に懸濁した３，５−二置換１，２，４−オキサジアゾール化合物の固体粒子を含む２相懸濁液濃縮組成物が、米国特許出願公開第２０１４／０１８７４１９  Ａ１号及び第２０１５／０３４２１８９  Ａ１号に概括的に開示され、それらの内容は参照により本明細書に明示的に援用される。最近、米国特許第８，４３５，９９９号及び米国特許第８，０１７，５５５号に開示される３，５−二置換１，２，４−オキサジアゾール及び関連化合物を含む種子被覆剤によって、場合により、経時的に不揃い且つ不良な外観が生じる場合があることが認められている。当技術分野では、大規模な商業的農業用途、特に種子処理用途において、線虫の侵入を防ぐための、上述の３，５−二置換１，２，４−オキサジアゾール化合物の効率的な使用を可能にする解決策を開発することが求められている。
【発明の概要】
【０００５】
本明細書では、３，５−二置換１，２，４−オキサジアゾールを含む殺線虫組成物を昇華防止剤と混合して種子処理混合物を形成することと、上記種子処理混合物を種子に塗布することとを含む、処理された種子の製造方法が提供される。
【０００６】
本明細書では、３，５−二置換１，２，４−オキサジアゾールを含む殺線虫組成物を含む第１の種子処理混合物を種子に塗布することと、昇華防止剤を含む第２の種子処理混合物を上記種子に塗布して、処理された種子を形成することとを含む、処理された種子の製造方法も提供される。
【０００７】
本明細書では、３，５−二置換１，２，４−オキサジアゾール及び昇華防止剤を含む種子処理混合物も提供される。
【０００８】
本明細書では、本明細書に記載の方法に従って製造された処理された種子も提供される。
【０００９】
本明細書では、基材の表面からの固体化合物の昇華の防止方法であって、上記固体化合物を、昇華防止剤を含む処理組成物で被覆するまたは上記組成物と接触させることを含む上記方法も提供される。
【００１０】
これらの及び他の実施形態において、上記昇華防止剤は、アクリルポリマー、ビニルポリマー、アルキルナフタレンスルホン酸塩、スルホン酸塩縮合物、リグニンスルホン酸塩、及びそれらの混合物からなる群より選択されるポリマーを含む。
【００１１】
他の目的及び特徴は、本明細書の以後において、一部が明らかになり且つ一部が示されることとなる。
【図面の簡単な説明】
【００１２】
【図１】実施例１に記載される、６０日間にわたって真空オーブン中、３５℃で保存された、処理されたトウモロコシの種子の顕微鏡写真の画像である。
【図２】実施例１に記載される、６０日間にわたって真空オーブン中、３５℃で保存された、処理されたトウモロコシの種子の顕微鏡写真の画像である。
【図３】実施例１に記載される、６０日間にわたって真空オーブン中、３５℃で保存された、処理されたトウモロコシの種子の顕微鏡写真の画像である。
【図４】実施例１に記載される、６０日間にわたって真空オーブン中、３５℃で保存された、処理されたトウモロコシの種子の顕微鏡写真の画像である。
【図５】実施例１に記載される、６０日間にわたって真空オーブン中、３５℃で保存された、処理されたトウモロコシの種子の顕微鏡写真の画像である。
【図６】実施例１に記載される、６０日間にわたって真空オーブン中、３５℃で保存された、処理されたトウモロコシの種子の顕微鏡写真の画像である。
【図７】実施例１に記載される、６０日間にわたって真空オーブン中、３５℃で保存された、処理されたトウモロコシの種子の顕微鏡写真の画像である。
【図８】実施例１に記載される、６０日間にわたって真空オーブン中、３５℃で保存された、処理されたトウモロコシの種子の顕微鏡写真の画像である。
【図９】実施例１に記載される、６０日間にわたって真空オーブン中、３５℃で保存された、処理されたトウモロコシの種子の顕微鏡写真の画像である。
【図１０】実施例１に記載される、６０日間にわたって真空オーブン中、３５℃で保存された、処理されたトウモロコシの種子の顕微鏡写真の画像である。
【図１１】実施例１に記載される、６０日間にわたって真空オーブン中、３５℃で保存された、処理されたトウモロコシの種子の顕微鏡写真の画像である。
【発明を実施するための形態】
【００１３】
概括的には、本方法は、固体化合物を、本明細書に記載の昇華防止剤を含む処理組成物で被覆するまたは上記組成物と接触させることを含む。
【００１４】
例えば、一実施形態において、基材の表面からの固体化合物の昇華は、当該化合物を昇華防止剤を含む組成物で被覆するまたは上記組成物と接触させることによって防止される。一実施形態において、上記固体化合物は、例えば、望ましくない線虫の防除に有用な３，５−二置換１，２，４−オキサジアゾールを含み、上記基質は種子である。
【００１５】
固体化合物
種々の実施形態において、本明細書に記載の組成物及び方法は、いくつかの周囲条件下で基材の表面から昇華しやすい場合がある固体化合物を含む。例えば、上記のように、上記固体化合物は、３，５−二置換１，２，４−オキサジアゾールを含んでいてもよい。かかる化合物は米国特許第８，４３５，９９９号及び第８，０１７，５５５号、ならびに米国特許出願公開第２０１４／０１８７４１９  Ａ１号及び第２０１５／０３４２１８９  Ａ１号に概括的に開示され、それらの内容は参照により本明細書に明示的に援用される。
【００１６】
例えば、一実施形態において、上記３，５−二置換１，２，４−オキサジアゾールは、式Ｉ
【化１】
2020508059.tif 000003
の化合物またはその塩であって、式中、Ａは、それぞれが独立に、任意選択でハロゲン、ＣＦ３、ＣＨ３、ＯＣＦ３、ＯＣＨ３、ＣＮ、及びＣ（Ｈ）Ｏからなる群より選択される１もしくは複数の置換基で置換されていてもよいフェニル、ピリジル、ピラジル、オキサゾリル、及びイソオキサゾリルからなる群より選択され、Ｃは、それぞれが独立に、任意選択でＦ、Ｃｌ、ＣＨ３、及びＯＣＦ３からなる群より選択される１もしくは複数の置換基で置換されていてもよいチエニル、フラニル、オキサゾリル、及びイソオキサゾリルからなる群より選択される上記化合物またはその塩である。
【００１７】
別の実施形態において、上記３，５−二置換１，２，４−オキサジアゾールは、式Ｉａ
【化２】
2020508059.tif 000004
の化合物またはその塩であって、式中、Ｒ１及びＲ５は独立に、水素、ＣＨ３、Ｆ、Ｃｌ、Ｂｒ、ＣＦ３、及びＯＣＦ３からなる群より選択され、Ｒ２及びＲ４は独立に、水素、Ｆ、Ｃｌ、Ｂｒ、及びＣＦ３からなる群より選択され、Ｒ３は、水素、ＣＨ３、ＣＦ３、Ｆ、Ｃｌ、Ｂｒ、ＯＣＦ３、ＯＣＨ３、ＣＮ、及びＣ（Ｈ）Ｏからなる群より選択され、Ｒ７及びＲ８は独立に、水素及びＦから選択され、Ｒ９は、水素、Ｆ、Ｃｌ、ＣＨ３、及びＯＣＦ３からなる群より選択され、ＥはＯもしくはＳである上記化合物またはその塩である。
【００１８】
別の実施形態において、上記３，５−二置換１，２，４−オキサジアゾールは、式Ｉｂ
【化３】
2020508059.tif 000005
の化合物またはその塩であって、式中、Ｒ１及びＲ５は独立に、水素、ＣＨ３、Ｆ、Ｃｌ、Ｂｒ、ＣＦ３、及びＯＣＦ３からなる群より選択され、Ｒ２及びＲ４は独立に、水素、Ｆ、Ｃｌ、Ｂｒ、及びＣＦ３からなる群より選択され、Ｒ３は、水素、ＣＨ３、ＣＦ３、Ｆ、Ｃｌ、Ｂｒ、ＯＣＦ３、ＯＣＨ３、ＣＮ、及びＣ（Ｈ）Ｏからなる群より選択され、Ｒ８は水素及びＦから選択され、Ｒ６及びＲ９は独立に、水素、Ｆ、Ｃｌ、ＣＨ３、及びＯＣＦ３からなる群より選択され、ＥはＯもしくはＳである上記化合物またはその塩である。
【００１９】
別の実施形態において、上記３，５−二置換１，２，４−オキサジアゾールは、式ＩＩ
【化４】
2020508059.tif 000006
の化合物またはその塩であって、式中、Ａは、それぞれが独立に、任意選択でハロゲン、ＣＦ３、ＣＨ３、ＯＣＦ３、ＯＣＨ３、ＣＮ、及びＣ（Ｈ）Ｏからなる群より選択される１もしくは複数の置換基で置換されていてもよいフェニル、ピリジル、ピラジル、オキサゾリル、及びイソオキサゾリルからなる群より選択され、Ｃは、それぞれが独立に、任意選択でＦ、Ｃｌ、ＣＨ３、及びＯＣＦ３からなる群より選択される１もしくは複数の置換基で置換されていてもよいチエニル、フラニル、オキサゾリル、及びイソオキサゾリルからなる群より選択される上記化合物またはその塩である。
【００２０】
別の実施形態において、上記３，５−二置換１，２，４−オキサジアゾールは、式ＩＩａ
【化５】
2020508059.tif 000007
の化合物またはその塩であって、式中、Ｒ１及びＲ５は独立に、水素、ＣＨ３、Ｆ、Ｃｌ、Ｂｒ、ＣＦ３、及びＯＣＦ３からなる群より選択され、Ｒ２及びＲ４は独立に、水素、Ｆ、Ｃｌ、Ｂｒ、及びＣＦ３からなる群より選択され、Ｒ３は、水素、ＣＨ３、ＣＦ３、Ｆ、Ｃｌ、Ｂｒ、ＯＣＦ３、ＯＣＨ３、ＣＮ、及びＣ（Ｈ）Ｏからなる群より選択され、Ｒ７及びＲ８は独立に、水素及びＦから選択され、Ｒ９は、水素、Ｆ、Ｃｌ、ＣＨ３、及びＯＣＦ３からなる群より選択され、ＥはＯもしくはＳである上記化合物またはその塩である。
【００２１】
別の実施形態において、上記３，５−二置換１，２，４−オキサジアゾールは、式ＩＩｂ
【化６】
2020508059.tif 000008
の化合物またはその塩であって、式中、Ｒ１及びＲ５は独立に、水素、ＣＨ３、Ｆ、Ｃｌ、Ｂｒ、ＣＦ３、及びＯＣＦ３からなる群より選択され、Ｒ２及びＲ４は独立に、水素、Ｆ、Ｃｌ、Ｂｒ、及びＣＦ３からなる群より選択され、Ｒ３は、水素、ＣＨ３、ＣＦ３、Ｆ、Ｃｌ、Ｂｒ、ＯＣＦ３、ＯＣＨ３、ＣＮ、及びＣ（Ｈ）Ｏからなる群より選択され、Ｒ８は水素及びＦから選択され、Ｒ６及びＲ９は独立に、水素、Ｆ、Ｃｌ、ＣＨ３、及びＯＣＦ３からなる群より選択され、ＥはＯもしくはＳである上記化合物またはその塩である。
【００２２】
更なる実施形態において、上記３，５−二置換１，２，４−オキサジアゾールは式（Ｉａ）の化合物またはその塩である。種の非限定的な例としては、式（Ｉａ−ｉ）
【化７】
2020508059.tif 000009
のチオキサザフェン（すなわち、３−フェニル−５−（チオフェン−２−イル）−１，２，４−オキサジアゾール）、式（Ｉａ−ｉｉ）
【化８】
2020508059.tif 000010
の３−（４−クロロフェニル）−５−（フラン−２−イル）−１，２，４−オキサジアゾール、式（Ｉａ−ｉｉｉ）
【化９】
2020508059.tif 000011
の３−（４−クロロ−２−メチルフェニル）−５−（フラン−２−イル）−１，２，４−オキサジアゾール、及び式（Ｉａ−ｉｖ）
【化１０】
2020508059.tif 000012
の５−（フラン−２−イル）−３−フェニル−１，２，４−オキサジアゾールが挙げられる。
【００２３】
別の実施形態において、上記３，５−二置換１，２，４−オキサジアゾールは式（Ｉｂ）の化合物またはその塩である。種の非限定的な例としては、式（Ｉｂ−ｉ）
【化１１】
2020508059.tif 000013
の３−（４−ブロモフェニル）−５−（フラン−３−イル）−１，２，４−オキサジアゾール、及び式（Ｉｂ−ｉｉ）
【化１２】
2020508059.tif 000014
の３−（２，４−ジフルオロフェニル）−５−（チオフェン−３−イル）−１，２，４−オキサジアゾールが挙げられる。
【００２４】
別の実施形態において、上記３，５−二置換１，２，４−オキサジアゾールは式（ＩＩａ）の化合物またはその塩である。種の非限定的な例としては、式（ＩＩａ−ｉ）
【化１３】
2020508059.tif 000015
の３−（チオフェン−２−イル）−５−（ｐ−トリル）−１，２，４−オキサジアゾール、式（ＩＩａ−ｉｉ）
【化１４】
2020508059.tif 000016
の５−（３−クロロフェニル）−３−（チオフェン−２−イル）−１，２，４−オキサジアゾール、及び式（ＩＩａ−ｉｉｉ）
【化１５】
2020508059.tif 000017
の５−（４−クロロ−２−メチルフェニル）−３−（フラン−２−イル）−１，２，４−オキサジアゾールが挙げられる。
【００２５】
昇華防止剤
特定の理論に拘束されるものではないが、３，５−二置換１，２，４−オキサジアゾール化合物を含む本明細書に記載の固体化合物は、特に、当該化合物が種子などの基材の表面に塗布される種子被覆剤中に導入される場合に、昇華しやすいと考えられる。上記３，５−二置換１，２，４−オキサジアゾール化合物の昇華は、３，５−二置換１，２，４−オキサジアゾール化合物で処理された種子の表面に時々観察されている不揃いな外観の原因であると考えられる。詳細には、上記３，５−二置換１，２，４−オキサジアゾール化合物が昇華すると、気相に存在する粒子が種子の表面に再析出する場合があり、特に種子の表面に結晶を形成する場合があると考えられる。
【００２６】
種子の表面上での結晶の形成により、不揃い且つ望ましくない外観が生じる。種子表面上での結晶形成により、他の問題の中でもとりわけ、農業用播種装置を使用して種子を播く際に障害となる場合もある。上記結晶形成の問題は、かかる種子が、処理された種子を使用する前に輸送し且つ貯蔵するために多くの場合に用いられる、袋などの狭い空間中に貯蔵される場合に特に深刻である。
【００２７】
本明細書に記載の昇華防止剤はこの問題を解決することが見出された。本明細書において提供される方法に従って用いられる場合、上記昇華防止剤は処理された種子の表面上の固体組成物からの結晶の形成を防止する。
【００２８】
ある理論では、上記昇華防止剤は、上記３，５−二置換１，２，４−オキサジアゾールを安定化し及び／または上記３，５−二置換１，２，４−オキサジアゾールに結合することによって該３，５−二置換１，２，４−オキサジアゾール化合物の昇華を防止すると考えられる。
【００２９】
他の実施形態において、特定の理論に拘束されるものではないが、上記昇華防止剤は、気相中の当該固体化合物の分子が種子の表面上に析出するのを防止し、したがって種子表面上での結晶の形成を防止し得る。より一般的には、本明細書に開示される昇華防止剤は、化合物の昇華を防止する及び／または種子表面上での結晶の形成を防止するための任意の機構（複数可）を利用し得る。
【００３０】
いくつかの実施形態において、上記昇華防止剤は、周囲条件下で上記固体化合物の昇華の速度を、少なくとも約１０％、少なくとも約２０％、少なくとも約３０％、少なくとも約４０％、少なくとも約５０％、少なくとも約６０％、少なくとも約７０％、少なくとも約８０％、または少なくとも約９０％もしくはそれ以上低下させるのに十分な量で存在する。例えば、一実施形態において、種子処理混合物中の３，５−二置換１，２，４−オキサジアゾールに対する上記昇華防止剤の重量比が本明細書に記載の通りである場合、上記昇華防止剤は、周囲条件下で上記混合物中の上記３，５−二置換１，２，４−オキサジアゾールの昇華速度を少なくとも約１０％、少なくとも約２０％、少なくとも約３０％、少なくとも約４０％、少なくとも約５０％、少なくとも約６０％、少なくとも約７０％、少なくとも約８０％、または少なくとも約９０％もしくはそれ以上低下させる。
【００３１】
いくつかの実施形態において、上記昇華防止剤は、周囲条件下で、基材の表面上での上記固体化合物の結晶形成の速度を少なくとも約１０％、少なくとも約２０％、少なくとも約３０％、少なくとも約４０％、少なくとも約５０％、少なくとも約６０％、少なくとも約７０％、少なくとも約８０％、または少なくとも約９０％もしくはそれ以上低下させるのに十分な量で存在する。例えば、一実施形態において、上記種子処理混合物中の上記３，５−二置換１，２，４−オキサジアゾールに対する上記昇華防止剤の重量比が本明細書に記載の通りである場合、上記昇華防止剤は、周囲条件下で、種子の表面上での３，５−二置換１，２，４−オキサジアゾール結晶形成の速度を、少なくとも約１０％、少なくとも約２０％、少なくとも約３０％、少なくとも約４０％、少なくとも約５０％、少なくとも約６０％、少なくとも約７０％、少なくとも約８０％、または少なくとも約９０％低下させる。
【００３２】
いくつかの実施形態において、上記昇華防止剤は、昇華しやすい固体化合物を含有する組成物中に、基材の表面上にフィルムとしてキャストして乾燥させ、比色計を用いてこのフィルムを評価する場合に、１４日後の白色度の変化率（Ｌ＊）が約３５％以下、約３０％以下、約２５％以下、約２０％以下、または約１５％以下であるような量で存在する。例えば、一実施形態において、上記固体化合物は種子処理混合物中の３，５−二置換１，２，４−オキサジアゾールであり、上記種子処理混合物中の上記３，５−二置換１，２，４−オキサジアゾールに対する上記昇華防止剤の重量比が本明細書に記載の通りである場合、１４日後の白色度の変化率（Ｌ＊）は約３５％以下、約３０％以下、約２５％以下、約２０％以下、または約１５％以下である。
【００３３】
当技術分野で公知の比色計（例えばＶＩＤＥＯＭＥＴＥＲ  ＬＡＢ３  Ｖ０１０１−０００−１１）を用いて、異なる時点でＬ＊ａ＊ｂ＊色空間内の明度値に対応する白色度値Ｌ＊を測定して、結晶成長の度合に対応する白色度の変化率（Ｌ＊）を測定することができる。
【００３４】
昇華防止剤の非限定的な例としては、アクリルポリマー、ビニルポリマー、アルキルナフタレンスルホン酸塩、スルホン酸塩縮合物、リグニンスルホン酸塩、及びそれらの混合物が挙げられる。昇華防止剤として用いられるこれらの化合物の市販の供給源は、本明細書中に特定されるポリマーに加えて他の成分を含んでいてもよい。
【００３５】
例えば、上記昇華防止剤はアクリルポリマーを含んでいてもよい。上記アクリルポリマーは、例えば、ポリ（メタクリル酸メチル）ポリマーまたはアクリル酸と１種もしくは複数種の更なるモノマーに由来する共重合体またはスチレン−アクリルであってもよい。アクリルポリマーの非限定的な例としては、オレフィン−アクリル共重合体及びスチレン−アクリル共重合体が挙げられる。市販のアクリルポリマーの非限定的な例としては、ＳＯＫＡＬＡＮ  ＣＰ９（オレフィン／マレイン酸共重合体）、ＭＥＴＡＳＰＥＲＳＥ  ５００Ｌ（スチレン−アクリル酸エステル共重合体）、ＪＯＮＣＲＹＬ  ６０（スチレン−アクリル共重合体）、ＪＯＮＣＲＹＬ  ６２（スチレン−アクリル共重合体）、ＪＯＮＣＲＹＬ  ６３（スチレン−アクリル共重合体）、及びＴＥＲＳＰＥＲＳＥ  ２７００が挙げられる。
【００３６】
いくつかの実施形態において、上記昇華防止剤は、ナフタレンスルホン酸塩縮合物、フェノールスルホン酸ナトリウム縮合物、またはそれらの組み合わせなどのスルホン酸塩縮合物を含む。市販のナフタレンスルホン酸塩縮合物の非限定的な例としては、ＡＧＮＩＱＵＥ  ＮＳＣ  １１ＮＰ、ＡＧＮＩＱＵＥ  ＮＳＣ  ３ＮＰ、及びＡＧＮＩＱＵＥ  ＡＮＳ  ４ＤＮＰが挙げられる。市販のフェノールスルホン酸ナトリウム縮合物の非限定的な例としてはＶＵＬＴＡＭＯＬ  ＤＮが挙げられる。
【００３７】
いくつかの実施形態において、上記昇華防止剤はリグノスルホン酸ナトリウムなどのリグニンスルホン酸塩を含む。市販のリグニンスルホン酸塩の非限定的な例としては、ＰＯＬＹＦＯＮ  Ｏ、ＧＲＥＥＮＳＰＥＲＳＥ  Ｓ７、及びＨＹＡＣＴが挙げられる。
【００３８】
いくつかの実施形態において、上記昇華防止剤はビニルポリマーを含む。市販のビニルポリマーの非限定的な例としては、ＡＧＲＩＭＥＲ  ＡＩ  １０ＬＣ、ＡＧＲＩＭＥＲ  ＶＡ６Ｗ、及びＡＧＲＩＭＥＲ  ＶＡ７Ｗ（ポリ酢酸ビニル−ポリビニルピロリドン共重合体）が挙げられる。
【００３９】
いくつかの実施形態において、上記昇華防止剤はアニオン性高分子界面活性剤を含む。市販の高分子界面活性剤の非限定的な例としてはＭＥＴＡＳＰＥＲＳＥ  １００Ｌ（変性スチレン−アクリル共重合体）が挙げられる。
【００４０】
いくつかの実施形態において、上記昇華防止剤はポリマー鎖中に芳香族官能基を含む。特定の理論に拘束されるものではないが、芳香族官能基の存在により上記３，５−二置換１，２，４−オキサジアゾール化合物中の芳香環とのπ−π相互作用が可能になり、これらの相互作用が安定化を促進し、上記３，５−二置換１，２，４−オキサジアゾールの昇華を抑制すると考えられる。
【００４１】
いくつかの実施形態において、上記昇華防止剤は、当該固体化合物の表面を最も良好に被覆するように、該固体化合物の分子部分に基づいて選択される。他の実施形態において、上記昇華防止剤は、当該固体化合物の官能基に最もよく適合する疎水的または親水的な特徴の存在に基づいて選択される。例えば、一実施形態において、疎水性固体化合物には疎水性昇華防止剤が適合する。別の実施形態において、親水性固体化合物には親水性昇華防止剤が適合する。これにより、上記固体化合物と上記昇華防止剤との間に強い相互作用が生じる。昇華防止剤を選択する際に考慮してもよい二次的な考慮事項としては、分子量、官能基の度合、及び溶解性（例えば、水への溶解が可能になるが、同時に昇華も防止する疎水性／親水性モノマー成分のバランス）プロファイルが挙げられる。
【００４２】
処理された種子の製造方法
上記のように、種子の表面上に昇華防止剤が存在することによって、処理された種子の表面上における３，５−二置換１，２，４−オキサジアゾール結晶の形成を防止することができることが見出された。種子被覆剤が３，５−二置換１，２，４−オキサジアゾール及び昇華防止剤を含む、処理された種子の種々の製造方法が以下に提供される。
【００４３】
例えば、処理された種子の本製造方法は、３，５−二置換１，２，４−オキサジアゾールを含む殺線虫組成物を昇華防止剤と混合して種子処理混合物を形成することと、上記種子処理混合物を種子に塗布することとを含んでいてもよい。例えば、上記昇華防止剤は、３，５−二置換１，２，４−オキサジアゾールの昇華を防止する昇華防止剤であってよい。
【００４４】
一般的には、上記種子処理混合物を上記種子に塗布する直前に、上記固体化合物と上記昇華防止剤とを混合して種子処理混合物を形成する。例えば、上記殺線虫組成物が高濃度の上記３，５−二置換１，２，４−オキサジアゾールを含む水性懸濁液濃縮物の形態である場合には、上記昇華防止剤を含む上記種子処理混合物は貯蔵安定性がない場合がある（例えば、上記混合物は異なる相に分離しやすい場合がある）。上記種子処理混合物が種子への塗布の直前に製造される場合であれば、いずれの貯蔵安定性の問題も取るに足らないものである。
【００４５】
例えば、一実施形態において、３，５−二置換１，２，４−オキサジアゾールを含む上記殺線虫組成物が濃縮物の形態である場合、該濃縮物を水で希釈して希釈殺線虫組成物を形成し、続いてこれを上記昇華防止剤と混合して種子処理混合物を形成し、ここで上記固体３，５−二置換１，２，４−オキサジアゾールは、上記昇華防止剤も含む上記種子処理混合物で被覆されるかまたは該混合物と接触している。
【００４６】
更なる実施形態において、処理された種子の本製造方法は、固体（例えば、殺線虫性３，５−二置換１，２，４−オキサジアゾール）を含む第１の種子処理混合物を種子に塗布することと、上記昇華防止剤を含む第２の種子処理混合物を、該第２の種子処理混合物が、処理された種子の表面上の上記固体を被覆するまたは上記固体に接触するように上記種子に塗布することを含む。第１及び第２の種子処理混合物を種子の表面に塗布する順序は重要ではない。
【００４７】
種子の種類
本明細書に記載の方法は、任意の種の植物及び／またはその種子に関連して用いることができる。但し、いくつかの実施形態において、本方法は、農学的に重要な植物種の種子に関連して用いられる。特に、上記種子は、トウモロコシ、ラッカセイ、キャノーラ／ナタネ、ダイズ、ウリ科植物、アブラナ科植物、ワタ、ビート、イネ、モロコシ、テンサイ、コムギ、オオムギ、ライムギ、ヒマワリ、トマト、サトウキビ、タバコ、オートムギ、ならびに他の野菜及び需葉作物の種子であってよい。いくつかの実施形態において、上記種子はトウモロコシ、ダイズ、またはワタの種子である。上記種子は、該種子からトランスジェニック植物が成長し、例えば特定の除草剤または除草剤の組み合わせに対する耐性、病害抵抗性の増大、ストレスに対する耐性の増大、及び／または収穫量の増大をもたらすトランスジェニック事象を組み込むことができるトランスジェニック種子であってもよい。トランスジェニック種子としては、トウモロコシ、ダイズ、及びワタの種子が挙げられるが、これらに限定はされない。
【００４８】
種子被覆剤の塗布方法
上記種子は当技術分野で公知の様々な方法を用いて被覆することができる。例えば、上記被覆方法は、タンブラー型またはパン型造粒機などの適宜の装置中で種子を撹拌しながら、上記種子処理混合物を種子上に噴霧することを含んでいてもよい。
【００４９】
一実施形態において、種子を大きな規模（例えば商業的規模）で被覆する場合、連続的方法を用いて上記種子被覆剤を塗布してもよい。一般的には、種子を処理装置（タンブラー型、ミキサー型、またはパン型造粒機など）中に重量または流速のいずれかによって導入する。この処理装置に導入される処理混合物の量は、被覆される種子の重量、種子の表面積、処理組成物中の殺線虫剤及び／または他の活性成分の濃度、処理された種子の所望の濃度などに応じて変化させてもよい。上記種子処理混合物は種々の手段によって、例えば噴霧ノズルまたは回転ディスクによって種子に塗布することができる。液体の量は、一般的には製剤のアッセイ及び有効であるために必要な活性成分の割合によって決定される。種子が上記処理装置に入ると、種子は（例えば、上記種子処理組成物をミスト化または噴霧することによって）処理され、連続的な動き／タンブリングの下で処理装置を通過し、ここで均一に被覆され、乾燥された後に貯蔵または使用される。
【００５０】
別の実施形態において、回分式方法を用いて上記種子被覆剤を塗布してもよい。例えば、既知の重量の種子を処理装置（タンブラー型、ミキサー型、またはパン型造粒機など）に導入してもよい。既知の量の種子処理混合物を、該種子処理混合物を種子全体に均一に塗布することができる速度で上記処理装置に導入してもよい。塗布中に、例えば回転またはタンブリングによって種子を混合してもよい。タンブリング操作中に、任意選択で種子を乾燥または部分的に乾燥してもよい。完全に被覆した後に、処理された試料を更に乾燥するもしくは更に処理する、使用する、または保存するための領域に移動させてもよい。
【００５１】
上記に代わる実施形態において、上記種子被覆剤を、上記の回分式方法及び連続的方法のそれぞれの実施形態の特徴を組み込んだ半回分式方法を用いて塗布してもよい。
【００５２】
更に別の実施形態において、タンブラー型、ミキサー型、またはパン型造粒機などの実験室サイズの市販の処理装置中で、既知の重量の種子を該処理装置に導入し、所望の量の種子処理組成物を添加し、種子をタンブリングまたは回転させ、種子を十分に乾燥するためのトレー上に載置することによって種子を被覆してもよい。
【００５３】
種子処理混合物
本明細書では、固体化合物、例えば３，５−二置換１，２，４−オキサジアゾール、及び昇華防止剤を含む種子処理混合物も提供される。
【００５４】
いくつかの実施形態において、上記昇華防止剤と上記３，５−二置換１，２，４−オキサジアゾールとの重量比は、少なくとも約０．２：１、少なくとも約０．２５：１、少なくとも約０．３：１、少なくとも約０．４：１、または少なくとも約０．５：１である。
【００５５】
いくつかの実施形態において、上記昇華防止剤と上記３，５−二置換１，２，４−オキサジアゾールとの重量比は、約０．２：１〜約４：１、約０．２：１〜約２：１、約０．２：１〜約１：１、約０．２５：１〜約１：１、または約０．２５：１〜約０．７５：１である。
【００５６】
本明細書に記載の種子処理混合物において、該種子処理混合物中の上記昇華防止剤の濃度は、好ましくは３重量％を超える。例えば、上記種子処理混合物中の上記昇華防止剤の濃度は、少なくとも約５重量％、少なくとも約１０重量％、少なくとも約１５重量％、または少なくとも約２０重量％であってよい。
【００５７】
本明細書に記載の種子処理混合物において、該種子処理混合物中の上記３，５−二置換１，２，４−オキサジアゾールの濃度は、好ましくは約２５重量％以下、約２０重量％以下、または約１５重量％以下である。
【００５８】
一実施形態において、上記種子処理混合物は、例えば３，５−二置換１，２，４−オキサジアゾールを含む殺線虫組成物と昇華防止剤とを組み合わせることによって製造してもよい。一般的には、後述する殺線虫組成物中に存在していてもよいいずれの成分も、本明細書に記載の種子処理混合物中に導入されてよい。
【００５９】
本明細書に記載の方法及び混合物のいくつかの実施形態において、上記種子処理混合物の製造に用いられる殺線虫組成物は、３，５−二置換１，２，４−オキサジアゾールを含む。
【００６０】
他の実施形態において、上記殺線虫組成物は水性懸濁液濃縮組成物である。３，５−二置換１，２，４−オキサジアゾールを含む水性懸濁液濃縮組成物は、米国特許出願公開第２０１４／０１８７４１９  Ａ１号及び第２０１５／０３４２１８９  Ａ１号に概括的に開示され、これらのそれぞれは参照により本明細書に明示的に援用される。上記３，５−二置換１，２，４−オキサジアゾールは上記水性懸濁液濃縮組成物中に分散した固相として存在し、該濃縮物を水で希釈して希釈殺線虫組成物を形成し、これに上記昇華防止剤を添加して、上記の種子処理混合物を形成してもよい。
【００６１】
いくつかの実施形態における上記殺線虫組成物は、少なくとも約１０重量％、少なくとも約１５重量％、少なくとも約２０重量％、少なくとも約２５重量％、少なくとも約３０重量％、少なくとも約３５重量％、少なくとも約４０重量％、少なくとも約４５重量％、または少なくとも約５０重量％の３，５−二置換１，２，４−オキサジアゾールを含む。一実施形態において、上記殺線虫組成物は少なくとも約４０重量％の上記３，５−二置換１，２，４−オキサジアゾールを含む。いくつかの実施形態において、上記殺線虫組成物は、少なくとも約４５重量％、またはそれ以上（例えば、少なくとも約５０重量％）の上記３，５−二置換１，２，４−オキサジアゾールを含む。
【００６２】
上記殺線虫組成物は、少なくとも約１００ｇ／Ｌ、少なくとも約２００ｇ／Ｌ、少なくとも約２５０ｇ／Ｌ、少なくとも約３００ｇ／Ｌ、少なくとも約３５０ｇ／Ｌ、少なくとも約４００ｇ／Ｌ、少なくとも約４５０ｇ／Ｌ、少なくとも約５００ｇ／Ｌ、少なくとも約５５０ｇ／Ｌ、少なくとも約６００ｇ／Ｌ、少なくとも約６５０ｇ／Ｌ、または少なくとも約７００ｇ／Ｌの濃度で上記３，５−二置換１，２，４−オキサジアゾールを含んでいてもよい。上記３，５−二置換１，２，４−オキサジアゾールの濃度は、約４００ｇ／Ｌ〜約７００ｇ／Ｌ、約４５０ｇ／Ｌ〜約７５０ｇ／Ｌ、または約４５０ｇ／Ｌ〜約７００ｇ／Ｌの範囲であってよい。
【００６３】
更なる活性成分
いくつかの実施形態において、上記種子処理混合物は、本明細書に記載の固体化合物との併用で、１種または複数種の更なる活性成分を含む。上記更なる活性成分は上記組成物中に存在していてもよい。あるいは、上記更なる活性成分を、上記種子処理混合物中に、該混合物を種子に塗布する直前に導入してもよい。
【００６４】
例えば、いくつかの実施形態における組成物及び製剤は、本明細書に記載の固体化合物（例えば、３，５−二置換−１，２，４−オキサジアゾール）に加えて、１種または複数種の有害生物防除剤を更に含んでいてもよい。有害生物防除剤としては、化学農薬及び生物農薬または生物的防除剤が挙げられる。様々な種類の化学農薬及び生物農薬としては、ダニ駆除剤、殺虫剤、殺線虫剤、殺真菌剤、殺腹足類剤、除草剤、殺ウイルス剤、殺菌剤、及びそれらの組み合わせが挙げられる。生物農薬または生物的防除剤としては、駆除活性を示す細菌、真菌、有益な線虫、及びウイルスが挙げられる。本明細書に記載の組成物は、微生物抽出物、植物成長活性化剤、及び／または植物防御剤などの他の有害生物防除剤を含んでいてもよい。
【００６５】
いくつかの実施形態における組成物は、１種または複数種の化学的殺ダニ剤、殺虫剤、及び／または殺線虫剤を含んでいてもよい。化学的殺ダニ剤、殺虫剤、及び／または殺線虫剤の非限定的な例としては、１種または複数種のカルバミン酸エステル、ジアミド、大環状ラクトン、ネオニコチノイド、有機ホスファート、フェニルピラゾール、ピレスリン、スピノシン、合成ピレスロイド、テトロン酸、及び／またはテトラミン酸が挙げられる。本開示の組成物に有用な場合がある化学的殺ダニ剤、殺虫剤、及び殺線虫剤の非限定的な例としては、アバメクチン、アクリナトリン、アルジカルブ、アルドキシカルブ、アルファ−シペルメトリン、ベータシフルトリン、ビフェントリン、シハロトリン、シペルメトリン、デルタメトリン、ｃｓフェンバレラート、エトフェンプロックス、フェンプロパトリン、フェンバレラート、フルシトリネート、ホスチアゼート、ラムダ−シハロトリン、ガンマ−シハロトリン、ペルメトリン、タウ−フルバリナート、トランスフルトリン、ゼータ−シペルメトリン、シフルトリン、ビフェントリン、テフルトリン、ｅｆｌｕｓｉｌａｎａｔ、フブフェンプロックス、ピレトリン、レスメトリン、イミダクロプリド、アセタミプリド、チアメトキサム、ニテンピラム、チアクロプリド、ジノテフラン、クロチアニジン、イミダクロチズ、クロルフルアズロン、ジフルベンズロン、ルフェヌロン、テフルベンズロン、トリフルムロン、ノバルロン、フルフェノクスロン、ヘキサフルムロン、ビストリフルオロン、ノビフルムロン、ブプロフェジン、シロマジン、メトキシフェノジド、テブフェノジド、ハロフェノジド、クロマフェノジド、エンドスルファン、フィプロニル、エチプロール、ピラフルプロール、ピリプロール、フルベンジアミド、クロラントラニリプロール（例えばリナキシピル）、シアジピル、エマメクチン、エマメクチン安息香酸塩、アバメクチン、イベルメクチン、ミルベメクチン、レピメクチン、テブフェンピラド、フェンピロキシメート、ピリダベン、フェナザキン、ピリミジフェン、トルフェンピラド、ジコホール、シエノピラフェン、シフルメトフェン、アセキノシル、フルアクリピリン、ビフェナゼート、ジアフェンチウロン、エトキサゾール、クロフェンテジン、スピノサド、トリアラテン、テトラジホン、プロパルギット、ヘキシチアゾックス、ブロモプロピラート、キノメチオナート、アミトラズ、ピリフルキナゾン、ピメトロジン、フロニカミド、ピリプロキシフェン、ジオフェノラン、クロルフェナピル、メタフルミゾン、インドキサカルブ、クロルピリホス、スピロジクロフェン、スピロメシフェン、スピロテトラマト、ピリダリル、スピネトラム、アセフェート、トリアゾホス、プロフェノホス、オキサミル、スピネトラム、フェナミホス、ｆｅｎａｍｉｐｃｌｏｔｈｉａｈｏｓ、４−｛［（６−クロロピリド−３−イル）メチル］（２，２−ジフルオロエチル）アミノ｝フラン−２（５Ｈ）−オン、３，５−二置換１，２，４−オキサジアゾール化合物、３−フェニル−５−（チエン−２−イル）−１，２，４−オキサジアゾール、カズサホス、カルバリル、カルボフラン、エトプロホス、チオジカルブ、アルジカルブ、アルドキシカルブ、メタミドホス、メチオカルブ、スルホキサフロル、シアントラニリプロール、及びチオキサゾフェン、ならびにそれらの組み合わせが挙げられる。化学的殺ダニ剤、殺虫剤、及び／または殺線虫の更なる非限定的な例としては、アバメクチン、アルジカルブ、アルドキシカルブ、ビフェントリン、カルボフラン、クロラントラニリプロール、クロチアニジン、シフルトリン、シハロトリン、シペルメトリン、シアントラニリプロール、デルタメトリン、ジノテフラン、エマメクチン、エチプロール、フェナミホス、フィプロニル、フルベンジアミド、ホスチアゼート、イミダクロプリド、イベルメクチン、ラムダ−シハロトリン、ミルベメクチン、ニテンピラム、オキサミル、ペルメトリン、スピネトラム、スピノサド、スピロジクロフェン、スピロテトラマト、テフルトリン、チアクロプリド、チアメトキサム、及び／またはチオジカルブ、ならびにそれらの組み合わせを挙げることができる。
【００６６】
いくつかの実施形態における組成物に含まれていてもまたは用いられてもよい殺ダニ剤、殺虫剤、及び殺線虫剤の更なる非限定的な例は、Ｓｔｅｆｆｅｙ  ａｎｄ  Ｇｒａｙ，  Ｍａｎａｇｉｎｇ  Ｉｎｓｅｃｔ  Ｐｅｓｔｓ，  Ｉｌｌｉｎｏｉｓ  Ａｇｒｏｎｏｍｙ  Ｈａｎｄｂｏｏｋ  （２００８）；及びＮｉｂｌａｃｋ，  Ｎｅｍａｔｏｄｅｓ，  Ｉｌｌｉｎｏｉｓ  Ａｇｒｏｎｏｍｙ  Ｈａｎｄｂｏｏｋ  （２００８）に記載があり、これらの内容及び開示は、参照により本明細書に援用される。本明細書中に開示される組成物に好適な場合がある市販の殺虫剤の非限定的な例としては、ＣＲＵＩＳＥＲ  （Ｓｙｎｇｅｎｔａ，  Ｗｉｌｍｉｎｇｔｏｎ，  Ｄｅｌｗａｒｅ）、ＧＡＵＣＨＯ、及びＰＯＮＣＨＯ  （Ｇｕｓｔａｆｓｏｎ，  Ｐｌａｎｏ，  Ｔｅｘａｓ）が挙げられる。これら及び他の市販の殺虫剤中の活性成分としては、チアメトキサム、クロチアニジン、及びイミダクロプリドを挙げることができる。市販の殺ダニ剤、殺虫剤、及び／または殺線虫剤は、製造業者の推奨する量または濃度に従って使用することができる。
【００６７】
いくつかの実施形態によれば、いくつかの実施形態における組成物は１種または複数種の生物農薬としての微生物を含んでいてもよく、該微生物の存在及び／または産生物がダニ、昆虫、及び／または線虫に対して毒性である。例えば、本明細書に記載の組成物は、Ｂａｃｉｌｌｕｓ  ｆｉｒｍｕｓ  Ｉ−１５８２、Ｂａｃｉｌｌｕｓ  ｍｙｃｏｉｄｅｓ  ＡＱ７２６、ＮＲＲＬ  Ｂ−２１６６４；Ｂｅａｕｖｅｒｉａ  ｂａｓｓｉａｎａ  ＡＴＣＣ−７４０４０、Ｂｅａｕｖｅｒｉａ  ｂａｓｓｉａｎａ  ＡＴＣＣ−７４２５０、Ｂｕｒｋｈｏｌｄｅｒｉａ  ｓｐ．  Ａ３９６  ｓｐ．  ｎｏｖ．  ｒｉｎｏｊｅｎｓｉｓ、ＮＲＲＬ  Ｂ−５０３１９、Ｃｈｒｏｍｏｂａｃｔｅｒｉｕｍ  ｓｕｂｔｓｕｇａｅ  ＮＲＲＬ  Ｂ−３０６５５、Ｃｈｒｏｍｏｂａｃｔｅｒｉｕｍ  ｖａｃｃｉｎｉｉ  ＮＲＲＬ  Ｂ−５０８８０、Ｆｌａｖｏｂａｃｔｅｒｉｕｍ  Ｈ４９２、ＮＲＲＬ  Ｂ−５０５８４、Ｍｅｔａｒｈｉｚｉｕｍ  ａｎｉｓｏｐｌｉａｅ  Ｆ５２  （ＤＳＭ  ３８８４、ＤＳＭ  ３８８５、ＡＴＣＣ  ９０４４８、ＳＤ  １７０、及びＡＲＳＥＦ  ７７１１として寄託されたＭｅｔａｒｈｉｚｉｕｍ  ａｎｉｓｏｐｌｉａｅ株５２、Ｍｅｔａｒｈｉｚｉｕｍ  ａｎｉｓｏｐｌｉａｅ株７、Ｍｅｔａｒｈｉｚｉｕｍ  ａｎｉｓｏｐｌｉａｅ株４３、及び／またはＭｅｔａｒｈｉｚｉｕｍ  ａｎｉｓｏｐｌｉａｅ  ＢＩＯ−１０２０、ＴＡＥ−００１）、Ｐａｅｃｉｌｏｍｙｃｅｓ  ｆｕｍｏｓｏｒｏｓｅｕｓ  ＦＥ９９１、ならびにそれらの組み合わせの１種または複数種を含んでいてもよい。
【００６８】
いくつかの実施形態における組成物は１種または複数種の化学的殺真菌剤を含む。化学的殺真菌剤の非限定的な例としては、１種または複数種の芳香族炭化水素、ベンズチアジアゾール、カルボン酸アミド、モルホリン、フェニルアミド、ホスホナート、チアゾリジン、チオフェン、キノン外部阻害剤、ならびにアゾキシストロビン、クメトキシストロビン、クモキシストロビン、ジモキシストロビン、エネストロブリン、フルオキサストロビン、クレソキシムメチル、メトミノストロビン、オリサストロビン、ピコキシストロビン、ピラクロストロビン、ピラメトストロビン、ピラオキシストロビン、ピリベンカルブ、トリフロキシストロビン、２−［２−（２，５−ジメチルフェノキシメチル）フェニル］−３−メトキシアクリル酸メチルエステル、及び２−（２−（３−（２，６−ジクロロフェニル）−１−メチルアリリデンアミノオキシメチル）フェニル）−２−メトキシイミノ−Ｎ−メチルアセトアミドなどのストロビルリン、カルボキサニリド（例えば、ベナラキシル、ベナラキシル−Ｍ、ベノダニル、ビキサフェン、ボスカリド、カルボキシン、フェンフラム、フェンヘキサミド、フルトラニル、フルキサピロキサド、フラメトピル、イソピラザム、イソチアニル、キララキシル、メプロニル、メタラキシル、メタラキシル−Ｍ（メフェノキサム）、オフラース、オキサジキシル、オキシカルボキシン、ペンフルフェン、ペンチオピラド、セダキサン、テクロフタラム、チフルザミド、チアジニル、２−アミノ−４−メチルチアゾール−５−カルボキサニリド、Ｎ−（４’−トリフルオロメチルチオビフェニル−２−イル）−３−ジフルオロメチル−１−メチル−１Ｈ−ピラゾール−４−カルボキサミド、Ｎ−（２−（１，３，３−トリメチルブチル）フェニル）−１，３−ジメチル−５−フルオロ−１Ｈ−ピラゾール−４−カルボキサミド）、カルボン酸モルホリド（例えば、ジメトモルフ、フルモルフ、ピリモルフ）、安息香酸アミド（例えば、フルメトーバー、フルオピコリド、フルオピラム、ゾキサミド）、カルプロパミド、ジシクロメト、マンジプロアミド、オキシテトラサイクリン、シルチオファム、及びＮ−（６−メトキシピリジン−３−イル）シクロプロパンカルボン酸アミドなどのカルボキサミド、トリアゾール（例えば、アザコナゾール、ビテルタノール、ブロムコナゾール、シプロコナゾール、ジフェノコナゾール、ジニコナゾール、ジニコナゾール−Ｍ、エポキシコナゾール、フェンブコナゾール、フルキンコナゾール、フルシラゾール、フルトリアフォール、ヘキサコナゾール、イミベンコナゾール、イプコナゾール、メトコナゾール、ミクロブタニル、オキスポコナゾール、パクロブトラゾール、ペンコナゾール、プロピコナゾール、プロチオコナゾール、シメコナゾール、テブコナゾール、テトラコナゾール、トリアジメホン、トリアジメノール、トリチコナゾール、ウニコナゾール）、及びイミダゾール（例えば、シアゾファミド、イマザリル、ペフラゾエート、プロクロラズ、トリフルミゾール）などのアゾール；ピリジン（例えば、フルアジナム、ピリフェノックス（Ｄ１ｂを参照）、３−［５−（４−クロロフェニル）−２，３−ジメチルイソオキサゾリジン−３−イル］ピリジン、３−［５−（４−メチルフェニル）−２，３−ジメチルイソオキサゾリジン−３−イル］ピリジン）、ピリミジン（例えば、ブピリメート、シプロジニル、ジフルメトリム、フェナリモル、フェリムゾン、メパニピリム、ニトラピリン、ヌアリモル、ピリメタニル）、ピペラジン（例えば、トリホリン）、ピロール（例えば、フェンピクロニル、フルジオキソニル）、モルホリン（例えば、アルジモルフ、ドデモルフ、酢酸ドデモルフ、フェンプロピモルフ、トリデモルフ）、ピペリジン（例えば、フェンプロピジン）などのヘテロ環式化合物；ジカルボキシイミド（例えば、フルオロイミド、イプロジオン、プロシミドン、ビンクロゾリン）、非芳香族５員ヘテロ環式化合物（例えば、ファモキサドン、フェナミドン、フルチアニル、オクチリノン、プロベナゾール、５−アミノ−２−イソプロピル−３−オキソ−４−オルトトリル−２，３−ジヒドロピラゾール−１−カルボチオ酸Ｓ−アリルエステル）、アシベンゾラール−Ｓ−メチル、アメトクトラジン、アミスルブロム、アニラジン、ブラストサイジン−Ｓ、カプタフォール、キャプタン、キノメチオナート、ダゾメット、デバカルブ、ジクロメジン、ジフェンゾコート、ジフェンゾコートメチル硫酸、フェノキサニル、フォルペット、オキソリン酸、ピペラリン、プロキナジド、ピロキロン、キノキシフェン、トリアゾキシド、トリシクラゾール、２−ブトキシ−６−ヨード−３−プロピルクロメン−４−オン、５−クロロ−１−（４，６−ジメトキシピリミジン−２−イル）−２−メチル−１Ｈ−ベンゾイミダゾール、及び５−クロロ−７−（４−メチルピペリジン−１−イル）−６−（２，４，６−トリフルオロフェニル）−［１，２，４］トリアゾロ−［１，５−ａ］ピリミジン；カルベンダジムなどのベンズイミダゾール；グアニジン（例えば、グアニジン、ドージン、ドージン遊離塩基、グアザチン、酢酸グアザチン、イミノクタジン）、イミノクタジン三酢酸、及びイミノクタジン−トリス（アルベシレート）などの他の活性物質；抗生物質（例えば、カスガマイシン、塩酸カスガマイシン水和物、ストレプトマイシン、ポリオキシン、及びバリダマイシンＡ）、ニトロフェニル誘導体（例えば、ビナパクリル、ジクロラン、ジノブトン、ジノキャップ、ニトロタール−イソプロピル、テクナゼン）、有機金属化合物（例えば、酢酸フェントン、塩化フェントン、水酸化フェントンなどのフェントン塩）；含イオウヘテロ環式化合物（例えば、ジチアノン、イソプロチオラン）、有機リン化合物（例えば、エジフェンホス、ホセチル、ホセチル−アルミニウム、イプロベンホス、リン酸及びその塩、ピラゾホス、トルクロホスメチル）、有機塩素化合物（例えば、クロロタロニル、ジクロロフルアニド、ジクロロフェン、フルスルファミド、ヘキサクロロベンゼン、ペンシクロン、ペンタクロロフェノール及びその塩、フタリド、キントゼン、チオファネートメチル、チオファネート、トリルフルアニド、Ｎ−（４−クロロ−２−ニトロフェニル）−Ｎ−エチル−４−メチルベンゼンスルホンアミド）、及び無機活性物質（例えば、ボルドー混合物、酢酸銅、水酸化銅、オキシ塩化銅、塩基性硫酸銅、イオウ）、ならびにそれらの組み合わせを挙げることができる。ある態様において、いくつかの実施形態における組成物は、アシベンゾラール−Ｓ−メチル、アゾキシストロビン、ベナラキシル、ビキサフェン、ボスカリド、カルベンダジム、シプロコナゾール、ジメトモルフ、エポキシコナゾール、フルジオキソニル、フルオピラム、フルオキサストロビン、フルチアニル、フルトラニル、フルキサピロキサド、ホセチル−Ａｌ、イプコナゾール、イソピラザム、クレソキシムメチル、メフェノキサム、メタラキシル、メトコナゾール、ミクロブタニル、オリサストロビン、ペンフルフェン、ペンチオピラド、ピコキシストロビン、プロピコナゾール、プロチオコナゾール、ピラクロストロビン、セダキサン、シルチオファム、テブコナゾール、チアベンダゾール、チフルザミド、チオファネート、トルクロホスメチル、トリフロキシストロビン、及びトリチコナゾール、ならびにそれらの組み合わせを含む。
【００６９】
いくつかの実施形態における組成物中に含まれていてもよい殺真菌剤の更なる例については、例えば、Ｂｒａｄｌｅｙ，  Ｍａｎａｇｉｎｇ  Ｄｉｓｅａｓｅｓ，  Ｉｌｌｉｎｏｉｓ  Ａｇｒｏｎｏｍｙ  Ｈａｎｄｂｏｏｋ  （２００８）を参照されたく、その内容及び開示が参照により本明細書に援用される。
【００７０】
いくつかの実施形態における組成物に有用な殺真菌剤は、Ｐｈｙｔｏｐｈｔｈｏｒａ、Ｒｈｉｚｏｃｔｏｎｉａ、Ｆｕｓａｒｉｕｍ、Ｐｙｔｈｉｕｍ、Ｐｈｏｍｏｐｓｉｓ、Ｓｅｌｅｒｏｔｉｎｉａ、またはＰｈａｋｏｐｓｏｒａ、及びそれらの組み合わせを含む、但しこれらに限定されない１種または複数種の真菌植物病原体に対する活性を示してもよい。いくつかの実施形態における組成物に好適である場合がある市販の殺真菌剤の非限定的な例としては、ＰＲＯＴＥＧＥ、ＲＩＶＡＬ、またはＡＬＬＥＧＩＡＮＣＥ  ＦＬまたはＬＳ（Ｇｕｓｔａｆｓｏｎ，  Ｐｌａｎｏ，  Ｔｅｘａｓ）、ＷＡＲＤＥＮ  ＲＴＡ（Ａｇｒｉｌａｎｃｅ，  Ｓｔ．  Ｐａｕｌ，  Ｍｉｎｎｅｓｏｔａ）、ＡＰＲＯＮ  ＸＬ、ＡＰＲＯＮ  ＭＡＸＸ  ＲＴＡ、またはＲＦＣ、ＭＡＸＩＭ  ４ＦＳまたはＸＬ（Ｓｙｎｇｅｎｔａ，  Ｗｉｌｍｉｎｇｔｏｎ，  Ｄｅｌａｗａｒｅ）、ＣＡＰＴＡＮ（Ａｒｖｅｓｔａ，  Ｇｕｅｌｐｈ，  Ｏｎｔａｒｉｏ）、及びＰＲＯＴＲＥＡＴ（Ｎｉｔｒａｇｉｎ  Ａｒｇｅｎｔｉｎａ，  Ｂｕｅｎｏｓ  Ａｒｅｓ，  Ａｒｇｅｎｔｉｎａ）が挙げられる。これら及び他の市販の殺真菌剤中の活性成分としては、フルジオキソニル、メフェノキサム、アゾキシストロビン、及びメタラキシルが挙げられるが、これらに限定はされない。市販の殺真菌剤は、製造元の推奨する量または濃度に従って用いることができる。
【００７１】
いくつかの実施形態によれば、いくつかの実施形態における組成物は１種または複数種の生物農薬としての微生物を含んでいてもよく、該微生物の存在及び／または産生物が少なくとも１種の真菌、細菌、またはそれらの両方に対して毒性である。例えば、いくつかの実施形態における組成物は、Ａｍｐｅｌｏｍｙｃｅｓ  ｑｕｉｓｑｕａｌｉｓ  ＡＱ  １０（登録商標）（Ｉｎｔｒａｃｈｅｍ  Ｂｉｏ  ＧｍｂＨ  ＆  Ｃｏ．  ＫＧ，  Ｇｅｒｍａｎｙ）、Ａｓｐｅｒｇｉｌｌｕｓ  ｆｌａｖｕｓ  ＡＦＬＡ−ＧＵＡＲＤ（登録商標）  （Ｓｙｎｇｅｎｔａ  Ｃｒｏｐ  Ｐｒｏｔｅｃｔｉｏｎ，  Ｉｎｃ．，  ＣＨ）、Ａｕｒｅｏｂａｓｉｄｉｕｍ  ｐｕｌｌｕｌａｎｓ  ＢＯＴＥＣＴＯＲ（登録商標）（ｂｉｏｆｅｒｍ  ＧｍｂＨ，  Ｇｅｒｍａｎｙ），  Ｂａｃｉｌｌｕｓ  ｐｕｍｉｌｕｓ  ＡＱ７１７（ＮＲＲＬ  Ｂ２１６６２）、Ｂａｃｉｌｌｕｓ  ｐｕｍｉｌｕｓ  ＮＲＲＬ  Ｂ−３００８７、Ｂａｃｉｌｌｕｓ  ＡＱ１７５（ＡＴＣＣ  ５５６０８）、Ｂａｃｉｌｌｕｓ  ＡＱ１７７（ＡＴＣＣ  ５５６０９）、Ｂａｃｉｌｌｕｓ  ｓｕｂｔｉｌｉｓ  ＡＱ７１３（ＮＲＲＬ  Ｂ−２１６６１）、Ｂａｃｉｌｌｕｓ  ｓｕｂｔｉｌｉｓ  ＡＱ７４３（ＮＲＲＬ  Ｂ−２１６６５）、Ｂａｃｉｌｌｕｓ  ａｍｙｌｏｌｉｑｕｅｆａｃｉｅｎｓ  ＦＺＢ２４、Ｂａｃｉｌｌｕｓ  ａｍｙｌｏｌｉｑｕｅｆａｃｉｅｎｓ  ＦＺＢ４２、Ｂａｃｉｌｌｕｓ  ａｍｙｌｏｌｉｑｕｅｆａｃｉｅｎｓ  ＮＲＲＬ  Ｂ５０３４９、Ｂａｃｉｌｌｕｓ  ａｍｙｌｏｌｉｑｕｅｆａｃｉｅｎｓ  ＴＪ１０００（１ＢＥとしても知られる、分離株ＡＴＣＣ  ＢＡＡ−３９０）、Ｂａｃｉｌｌｕｓ  ｓｕｂｔｉｌｉｓ  ＡＴＣＣ  ５５０７８、Ｂａｃｉｌｌｕｓ  ｓｕｂｔｉｌｉｓ  ＡＴＣＣ  ５５０７９、Ｂａｃｉｌｌｕｓ  ｔｈｕｒｉｎｇｉｅｎｓｉｓ  ＡＱ５２（ＮＲＲＬ  Ｂ−２１６１９）、Ｃａｎｄｉｄａ  ｏｌｅｏｐｈｉｌａ  Ｉ１８２（例えば、Ｅｃｏｇｅｎ  Ｉｎｃ．，  ＵＳＡから供給されるＡＳＰＩＲＥ（登録商標））、Ｃａｎｄｉｄａ  ｓａｉｔｏａｎａ  ＢＩＯＣＵＲＥ（登録商標）（リゾチームとの混合物；ＢＡＳＦ，  ＵＳＡ）及びＢＩＯＣＯＡＴ（登録商標）（ＡｒｙｓｔａＬｉｆｅ  Ｓｃｉｅｎｃｅ，  Ｌｔｄ．，  Ｃａｒｙ，  ＮＣ）、Ｃｌｏｎｏｓｔａｃｈｙｓ  ｒｏｓｅａ  ｆ．  ｃａｔｅｎｕｌａｔａ  （Ｇｌｉｏｃｌａｄｉｕｍ  ｃａｔｅｎｕｌａｔｕｍとも呼ばれる）Ｊ１４４６  （ＰＲＥＳＴＯＰ（登録商標）、Ｖｅｒｄｅｒａ，  Ｆｉｎｌａｎｄ）、Ｃｏｎｉｏｔｈｙｒｉｕｍ  ｍｉｎｉｔａｎｓ  ＣＯＮＴＡＮＳ（登録商標）（Ｐｒｏｐｈｙｔａ，  Ｇｅｒｍａｎｙ）、Ｃｒｙｐｈｏｎｅｃｔｒｉａ  ｐａｒａｓｉｔｉｃａ（ＣＮＩＣＭ，  Ｆｒａｎｃｅ）、Ｃｒｙｐｔｏｃｏｃｃｕｓ  ａｌｂｉｄｕｓ  ＹＩＥＬＤ  ＰＬＵＳ（登録商標）（Ａｎｃｈｏｒ  ＢｉｏＴｅｃｈｎｏｌｏｇｉｅｓ，  Ｓｏｕｔｈ  Ａｆｒｉｃａ）、Ｆｕｓａｒｉｕｍ  ｏｘｙｓｐｏｒｕｍ  ＢＩＯＦＯＸ（登録商標）（Ｓ．Ｉ．Ａ．Ｐ．Ａ．、Ｉｔａｌｙより供給される）及びＦＵＳＡＣＬＥＡＮ（登録商標）（Ｎａｔｕｒａｌ  Ｐｌａｎｔ  Ｐｒｏｔｅｃｔｉｏｎ，  Ｆｒａｎｃｅ）、Ｍｅｔｓｃｈｎｉｋｏｗｉａ  ｆｒｕｃｔｉｃｏｌａ  ＳＨＥＭＥＲ（登録商標）（Ａ��ｒｏｇｒｅｅｎ，  Ｉｓｒａｅｌ）、Ｍｉｃｒｏｄｏｃｈｉｕｍ  ｄｉｍｅｒｕｍ  ＡＮＴＩＢＯＴ（登録商標）（Ａｇｒａｕｘｉｎｅ，  Ｆｒａｎｃｅ）、Ｍｕｓｃｏｄｏｒ  ａｌｂｕｓ  ＮＲＲＬ  ３０５４７、Ｍｕｓｃｏｄｏｒ  ｒｏｓｅｕｓ  ＮＲＲＬ  ３０５４８、Ｐｈｌｅｂｉｏｐｓｉｓ  ｇｉｇａｎｔｅａ  ＲＯＴＳＯＰ（登録商標）（Ｖｅｒｄｅｒａ，  Ｆｉｎｌａｎｄ）、Ｐｓｅｕｄｏｚｙｍａ  ｆｌｏｃｃｕｌｏｓａ  ＳＰＯＲＯＤＥＸ（登録商標）（Ｐｌａｎｔ  Ｐｒｏｄｕｃｔｓ  Ｃｏ．  Ｌｔｄ．，  Ｃａｎａｄａ）、Ｐｙｔｈｉｕｍ  ｏｌｉｇａｎｄｒｕｍ  ＤＶ７４  （ＰＯＬＹＶＥＲＳＵＭ（登録商標）、Ｒｅｍｅｓｌｏ  ＳＳＲＯ，  Ｂｉｏｐｒｅｐａｒａｔｙ，  Ｃｚｅｃｈ  Ｒｅｐ．）、Ｒｅｙｎｏｕｔｒｉａ  ｓａｃｈｌｉｎｅｎｓｉｓ（例えば、Ｍａｒｒｏｎｅ  ＢｉｏＩｎｎｏｖａｔｉｏｎｓ，  ＵＳＡより供給されるＲＥＧＡＬＩＡ（登録商標））、Ｓｔｒｅｐｔｏｍｙｃｅｓ  ＮＲＲＬ  Ｂ−３０１４５、Ｓｔｒｅｐｔｏｍｙｃｅｓ  Ｍ１０６４、Ｓｔｒｅｐｔｏｍｙｃｅｓ  ｇａｌｂｕｓ  ＮＲＲＬ  ３０２３２、Ｓｔｒｅｐｔｏｍｙｃｅｓ  ｌｙｄｉｃｕｓ  ＷＹＥＣ  １０８  （ＡＴＣＣ  ５５４４５）、Ｓｔｒｅｐｔｏｍｙｃｅｓ  ｖｉｏｌａｃｅｕｓｎｉｇｅｒ  ＹＣＥＤ  ９（ＡＴＣＣ  ５５６６０；ＤＥ−ＴＨＡＴＣＨ−９（登録商標）、ＤＥＣＯＭＰ−９（登録商標）及びＴＨＡＴＣＨ  ＣＯＮＴＲＯＬ（登録商標）、Ｉｄａｈｏ  Ｒｅｓｅａｒｃｈ  Ｆｏｕｎｄａｔｉｏｎ，  ＵＳＡ）、Ｓｔｒｅｐｔｏｍｙｃｅｓ  ＷＹＥ  ５３（ＡＴＣＣ  ５５７５０；ＤＥ−ＴＨＡＴＣＨ−９（登録商標）、ＤＥＣＯＭＰ−９（登録商標）及びＴＨＡＴＣＨ  ＣＯＮＴＲＯＬ（登録商標）、Ｉｄａｈｏ  Ｒｅｓｅａｒｃｈ  Ｆｏｕｎｄａｔｉｏｎ，  ＵＳＡ）、Ｔａｌａｒｏｍｙｃｅｓ  ｆｌａｖｕｓ  Ｖ１１７ｂ（ＰＲＯＴＵＳ（登録商標）、Ｐｒｏｐｈｙｔａ，  Ｇｅｒｍａｎｙ）、Ｔｒｉｃｈｏｄｅｒｍａ  ａｓｐｅｒｅｌｌｕｍ  ＳＫＴ−１（ＥＣＯ−ＨＯＰＥ（登録商標）、Ｋｕｍｉａｉ  Ｃｈｅｍｉｃａｌ  Ｉｎｄｕｓｔｒｙ  Ｃｏ．，  Ｌｔｄ．，  Ｊａｐａｎ）、Ｔｒｉｃｈｏｄｅｒｍａ  ａｔｒｏｖｉｒｉｄｅ  ＬＣ５２（ＳＥＮＴＩＮＥＬ（登録商標）、Ａｇｒｉｍｍ  Ｔｅｃｈｎｏｌｏｇｉｅｓ  Ｌｔｄ，  ＮＺ）、Ｔｒｉｃｈｏｄｅｒｍａ  ｈａｒｚｉａｎｕｍ  Ｔ２２（ＰＬＡＮＴＳＨＩＥＬＤ（登録商標）、ｄｅｒ  Ｆｉｒｍａ  ＢｉｏＷｏｒｋｓ  Ｉｎｃ．，  ＵＳＡ）、Ｔｒｉｃｈｏｄｅｒｍａ  ｈａｒｚｉａｎｕｍ  ＴＨ−３５（ＲＯＯＴ  ＰＲＯ（登録商標）、ｆｒｏｍ  Ｍｙｃｏｎｔｒｏｌ  Ｌｔｄ．，  Ｉｓｒａｅｌ）、Ｔｒｉｃｈｏｄｅｒｍａ  ｈａｒｚｉａｎｕｍ  Ｔ３９（ＴＲＩＣＨＯＤＥＸ（登録商標）、Ｍｙｃｏｎｔｒｏｌ  Ｌｔｄ．，  Ｉｓｒａｅｌ；ＴＲＩＣＨＯＤＥＲＭＡ  ２０００（登録商標）、Ｍａｋｈｔｅｓｈｉｍ  Ｌｔｄ．，  Ｉｓｒａｅｌ）、Ｔｒｉｃｈｏｄｅｒｍａ  ｈａｒｚｉａｎｕｍ  ＩＣＣ０１２及びＴｒｉｃｈｏｄｅｒｍａ  ｖｉｒｉｄｅ  ＴＲＩＣＨＯＰＥＬ（Ａｇｒｉｍｍ  Ｔｅｃｈｎｏｌｏｇｉｅｓ  Ｌｔｄ，  ＮＺ）、Ｔｒｉｃｈｏｄｅｒｍａ  ｈａｒｚｉａｎｕｍ  ＩＣＣ０１２及びＴｒｉｃｈｏｄｅｒｍａ  ｖｉｒｉｄｅ  ＩＣＣ０８０  （ＲＥＭ���ＤＩＥＲ（登録商標）ＷＰ、Ｉｓａｇｒｏ  Ｒｉｃｅｒｃａ，  Ｉｔａｌｙ）、Ｔｒｉｃｈｏｄｅｒｍａ  ｐｏｌｙｓｐｏｒｕｍ及びＴｒｉｃｈｏｄｅｒｍａ  ｈａｒｚｉａｎｕｍ（ＢＩＮＡＢ（登録商標）、ＢＩＮＡＢ  ＢｉｏＩｎｎｏｖａｔｉｏｎ  ＡＢ，  Ｓｗｅｄｅｎ）、Ｔｒｉｃｈｏｄｅｒｍａ  ｓｔｒｏｍａｔｉｃｕｍ  ＴＲＩＣＯＶＡＢ（登録商標）（Ｃ．Ｅ．Ｐ．Ｌ．Ａ．Ｃ．，  Ｂｒａｚｉｌ）、Ｔｒｉｃｈｏｄｅｒｍａ  ｖｉｒｅｎｓ  ＧＬ２１（ＳＯＩＬＧＡＲＤ（登録商標）、Ｃｅｒｔｉｓ  ＬＬＣ，  ＵＳＡ）、Ｔｒｉｃｈｏｄｅｒｍａ  ｖｉｒｅｎｓ  Ｇ１−３（ＡＴＣＣ  ５７６７８）、Ｔｒｉｃｈｏｄｅｒｍａ  ｖｉｒｅｎｓ  Ｇ１−２１（Ｔｈｅｒｍｏ  Ｔｒｉｌｏｇｙ  Ｃｏｒｐｏｒａｔｉｏｎ，  Ｗａｓｃｏ，  ＣＡ）、Ｔｒｉｃｈｏｄｅｒｍａ  ｖｉｒｅｎｓ  Ｇ１−３及びＢａｃｉｌｌｕｓ  ａｍｙｌｏｌｉｑｕｅｆａｃｉｅｎｓ  ＦＺＢ２４、Ｔｒｉｃｈｏｄｅｒｍａ  ｖｉｒｅｎｓ  Ｇ１−３及びＢａｃｉｌｌｕｓ  ａｍｙｌｏｌｉｑｕｅｆａｃｉｅｎｓ  ＮＲＲＬ  Ｂ５０３４９、Ｔｒｉｃｈｏｄｅｒｍａ  ｖｉｒｅｎｓ  Ｇ１−３及びＢａｃｉｌｌｕｓ  ａｍｙｌｏｌｉｑｕｅｆａｃｉｅｎｓ  ＴＪ１０００、Ｔｒｉｃｈｏｄｅｒｍａ  ｖｉｒｅｎｓ  Ｇ１−２１及びＢａｃｉｌｌｕｓ  ａｍｙｌｏｌｉｑｕｅｆａｃｉｅｎｓ  ＦＺＢ２４、Ｔｒｉｃｈｏｄｅｒｍａ  ｖｉｒｅｎｓ  Ｇ１−２１及びＢａｃｉｌｌｕｓ  ａｍｙｌｏｌｉｑｕｅｆａｃｉｅｎｓ  ＮＲＲＬ  Ｂ５０３４９、Ｔｒｉｃｈｏｄｅｒｍａ  ｖｉｒｅｎｓ  Ｇ１−２１及びＢａｃｉｌｌｕｓ  ａｍｙｌｏｌｉｑｕｅｆａｃｉｅｎｓ  ＴＪ１０００、Ｔｒｉｃｈｏｄｅｒｍａ  ｖｉｒｉｄｅ  ＴＲＩＥＣＯ（登録商標）（Ｅｃｏｓｅｎｓｅ  Ｌａｂｓ．  （Ｉｎｄｉａ）  Ｐｖｔ．  Ｌｔｄ．，  Ｉｎｄｉａ，  ＢＩＯ−ＣＵＲＥ（登録商標）  Ｆ  ｆｒｏｍ  Ｔ．  Ｓｔａｎｅｓ  ＆  Ｃｏ．  Ｌｔｄ．，  Ｉｎｄｉｅｎ）、Ｔｒｉｃｈｏｄｅｒｍａ  ｖｉｒｉｄｅ  ＴＶ１  （Ａｇｒｉｂｉｏｔｅｃ  ｓｒｌ，  Ｉｔａｌｙ）、Ｔｒｉｃｈｏｄｅｒｍａ  ｖｉｒｉｄｅ  ＩＣＣ０８０、及び／またはＵｌｏｃｌａｄｉｕｍ  ｏｕｄｅｍａｎｓｉｉ  ＨＲＵ３（ＢＯＴＲＹＺＥＮ（登録商標）、ＢｏｔｒｙＺｅｎ  Ｌｔｄ，  ＮＺ）、ならびにそれらの組み合わせの１種または複数種を含んでいてもよい。
【００７２】
いくつかの実施形態における組成物は、１種または複数種の化学的除草剤を含んでいてもよい。上記除草剤は、発芽前除草剤、発芽後除草剤、またはそれらの組み合わせであってよい。化学的除草剤の非限定的な例は、１種または複数種のアセチルＣｏＡカルボキシラーゼ（ＡＣＣａｓｅ）阻害剤、アセト乳酸シンターゼ（ＡＬＳ）阻害剤、アセトアニリド、アセトヒドロキシ酸シンターゼ（ＡＨＡＳ）阻害剤、光化学系ＩＩ阻害剤、光化学系Ｉ阻害剤、プロトポルフィリノーゲンオキシダーゼ（ＰＰＯまたはＰｒｏｔｏｘ）阻害剤、カロテノイド生合成阻害剤、エノールピルビルシキミ酸−３−ホスファート（ＥＰＳＰ）シンターゼ阻害剤、グルタミンシンターゼ阻害剤、ジヒドロプテロイン酸シンターゼ阻害剤、有糸分裂阻害剤、４−ヒドロキシフェニルピルビン酸ジオキシゲナーゼ（４−ＨＰＰＤ）阻害剤、合成オーキシン、オーキシン除草剤塩、オーキシン輸送阻害剤、核酸阻害剤、及び／または１種もしくは複数種の塩、エステル、ラセミ混合物、及び／またはそれらの分割された異性体を含んでいてもよい。本開示の組成物において有用であることができる化学的除草剤の非限定的な例としては、２，４−ジクロロフェノキシ酢酸（２，４−Ｄ）、２，４，５−トリクロロフェノキシ酢酸（２，４，５−Ｔ）、アメトリン、アミカルバゾン、アミノシクロピラクロール、アセトクロール、アシフルオルフェン、アラクロール、アトラジン、アザフェニジン、ベンタゾン、ベンゾフェナップ、ビフェノックス、ブロマシル、ブロモキシニル、ブタクロール、ブタフェナシル、ブトロキシジム、カルフェントラゾンエチル、クロリムロン、クロロトルロン、クレトジム、クロジナホップ、クロマゾン、シアナジン、シクロキシジム、シハロホップ、デスメジファム、デスメトリン、ジカンバ、ジクロホップ、ジメフロン、ジウロン、ジチオピル、フェノキサプロップ、フルアジホップ、フルアジホップ−Ｐ、フルオメツロン、フルフェンピルエチル、フルミクロラックペンチル、フルミオキサジン、フルオログリコフェン、フルチアセットメチル、ホメサフェン、ホメサフェン、グリホサート、グルホシネート、ハロスルフロン、ハロキシホップ、ヘキサジノン、イマザモックス、イマザキン、イマゼタピル、アイオキシニル、イソプロツロン、イソキサフルトール、ラクトフェン、リニュロン、メコプロップ、メコプロップ−Ｐ、メソトリオン、メタミトロン、メタゾクロール、メチベンズロン、メトラクロール（及びＳ−メトラクロール）、メトクスロン、メトリブジン、モノリニュロン、オキサジアルギル、オキサジアゾン、オキシフルオルフェン、フェンメジファム、プレチラクロール、プロホキシジム、プロメトン、プロメトリン、プロパクロール、プロパニル、プロパキザホップ、プロピソクロール、ピラフルフェンエチル、ピラゾン、ピラゾリネート、ピラゾキシフェン、ピリデート、キザロホップ、キザロホップ−Ｐ（例えば、キザロホップエチル、キザロホップ−Ｐ−エチル、クロジナホッププロパルギル、シアロホップブチル、ジクロホップメチル、フェノキサプロップ−Ｐ−エチル、フルアジホップ−Ｐ−ブチル、ハロキシホップメチル、ハロキシホップ−Ｒ−メチル）、サフルフェナシル、セトキシジム、シデュロン、シマジン、シメトリン、スルコトリオン、スルフェントラゾン、テブチウロン、テンボトリオン、テプラロキシジム、テルバシル、テルブメトン、テルブチラジン、タキストミン（例えば、米国特許第７，９８９，３９３号に記載されるタキストミン）、テニルクロール、トラルコキシジム、トリクロピル、トリエタジン、トリフロキシスルフロン、トロプラメゾン、それらの塩及びエステル；ラセミ混合物及びそれらの分割された異性体、ならびにそれらの組み合わせが挙げられる。一実施形態において、組成物は、アセトクロール、クレトジム、ジカンバ、フルミオキサジン、ホメサフェン、グリホサート、グルホシネート、メソトリオン、キザロホップ、サフルフェナシル、スルコトリオン、Ｓ−３１００、及び／または２，４−Ｄ、ならびにそれらの組み合わせを含む。
【００７３】
いくつかの実施形態における組成物中に含まれていてもよい除草剤の更なる例は、Ｈａｇｅｒ、Ｗｅｅｄ  Ｍａｎａｇｅｍｅｎｔ，  Ｉｌｌｉｎｏｉｓ  Ａｇｒｏｎｏｍｙ  Ｈａｎｄｂｏｏｋ  （２００８）に記載があり、その内容及び開示は参照により本明細書に援用される。市販の除草剤は、製造業者の推奨する量または濃度に従って用いることができる。
【００７４】
いくつかの実施形態における組成物は、１種または複数種の殺ウイルス剤を含んでいてもよい。
【００７５】
いくつかの実施形態によれば、いくつかの実施形態における組成物は、状況に応じて、１種もしくは複数種の生物農薬または除草剤としての微生物を含んでいてもよく、該微生物の存在及び／または産生物が少なくとも１種の昆虫、植物（雑草）、または植物病原性ウイルスに対して毒性である。
【００７６】
いくつかの実施形態における組成物に含まれてもよいまたは用いられてもよい生物農薬の更なる例は、Ｂｕｒｇｅｓ，  ｓｕｐｒａ；Ｈａｌｌ  ＆  Ｍｅｎｎ，  Ｂｉｏｐｅｓｔｉｃｉｄｅｓ：  Ｕｓｅ  ａｎｄ  Ｄｅｌｉｖｅｒｙ  （Ｈｕｍａｎａ  Ｐｒｅｓｓ）  （１９９８）；ＭｃＣｏｙ  ｅｔ  ａｌ．，  Ｅｎｔｏｍｏｇｅｎｏｕｓ  ｆｕｎｇｉ，  ｉｎ  ＣＲＣ  Ｈａｎｄｂｏｏｋ  ｏｆ  Ｎａｔｕｒａｌ  Ｐｅｓｔｉｃｉｄｅｓ．  Ｍｉｃｒｏｂｉａｌ  Ｐｅｓｔｉｃｉｄｅｓ，  Ｐａｒｔ  Ａ．  Ｅｎｔｏｍｏｇｅｎｏｕｓ  Ｐｒｏｔｏｚｏａ  ａｎｄ  Ｆｕｎｇｉ  （Ｃ．  Ｍ．  Ｉｎｏｆｆｏ，  ｅｄ．），  Ｖｏｌ．  ５：１５１−２３６  （１９８８）；Ｓａｍｓｏｎ  ｅｔ  ａｌ．，  Ａｔｌａｓ  ｏｆ  Ｅｎｔｏｍｏｐａｔｈｏｇｅｎｉｃ  Ｆｕｎｇｉ  （Ｓｐｒｉｎｇｅｒ−Ｖｅｒｌａｇ，  Ｂｅｒｌｉｎ）  （１９８８）；及びｄｅＦａｒｉａ  ａｎｄ  Ｗｒａｉｇｈｔ，  Ｍｙｃｏｉｎｓｅｃｔｉｃｉｄｅｓ  ａｎｄ  Ｍｙｃｏａｃａｒｉｃｉｄｅｓ：  Ａ  ｃｏｍｐｒｅｈｅｎｓｉｖｅ  ｌｉｓｔ  ｗｉｔｈ  ｗｏｒｌｄｗｉｄｅ  ｃｏｖｅｒａｇｅ  ａｎｄ  ｉｎｔｅｒｎａｔｉｏｎａｌ  ｃｌａｓｓｉｆｉｃａｔｉｏｎ  ｏｆ  ｆｏｒｍｕｌａｔｉｏｎ  ｔｙｐｅｓ，  Ｂｉｏｌ．  Ｃｏｎｔｒｏｌ  （２００７）に記載があり、その内容及び開示は参照により本明細書に援用される。特定の実施形態において、生物的防除剤としての微生物は、Ａｃｔｉｎｏｍｙｃｅｔｅｓ、Ａｇｒｏｂａｃｔｅｒｉｕｍ、Ａｒｔｈｒｏｂａｃｔｅｒ、Ａｌｃａｌｉｇｅｎｅｓ、Ａｕｒｅｏｂａｃｔｅｒｉｕｍ、Ａｚｏｂａｃｔｅｒ、Ｂａｃｉｌｌｕｓ、Ｂｅｉｊｅｒｉｎｃｋｉａ、Ｂｒｅｖｉｂａｃｉｌｌｕｓ、Ｂｕｒｋｈｏｌｄｅｒｉａ、Ｃｈｒｏｍｏｂａｃｔｅｒｉｕｍ、Ｃｌｏｓｔｒｉｄｉｕｍ、Ｃｌａｖｉｂａｃｔｅｒ、Ｃｏｍａｍｏｎａｓ、Ｃｏｒｙｎｅｂａｃｔｅｒｉｕｍ、Ｃｕｒｔｏｂａｃｔｅｒｉｕｍ、Ｅｎｔｅｒｏｂａｃｔｅｒ、Ｆｌａｖｏｂａｃｔｅｒｉｕｍ、Ｇｌｕｃｏｎｏｂａｃｔｅｒ、Ｈｙｄｒｏｇｅｎｏｐｈａｇａ、Ｋｌｅｂｓｉｅｌｌａ、Ｍｅｔｈｙｌｏｂａｃｔｅｒｉｕｍ、Ｐａｅｎｉｂａｃｉｌｌｕｓ、Ｐａｓｔｅｕｒｉａ、Ｐｈｏｔｏｒｈａｂｄｕｓ、Ｐｈｙｌｌｏｂａｃｔｅｒｉｕｍ、Ｐｓｅｕｄｏｍｏｎａｓ、Ｒｈｉｚｏｂｉｕｍ、Ｓｅｒｒａｔｉａ、Ｓｐｈｉｎｇｏｂａｃｔｅｒｉｕｍ、Ｓｔｅｎｏｔｒｏｐｈｏｍｏｎａｓ、Ｖａｒｉｏｖｏｒａｘ、及びＸｅｎｏｒｈａｂｄｕｓ属の細菌、またはそれらの任意の組み合わせを含む。いくつかの実施形態によれば、生物農薬としての微生物は、Ｂａｃｉｌｌｕｓ  ａｍｙｌｏｌｉｑｕｅｆａｃｉｅｎｓ、Ｂａｃｉｌｌｕｓ  ｃｅｒｅｕｓ、Ｂａｃｉｌｌｕｓ  ｆｉｒｍｕｓ、Ｂａｃｉｌｌｕｓ、ｌｉｃｈｅｎｆｏｒｍｉｓ、Ｂａｃｉｌｌｕｓ  ｐｕｍｉｌｕｓ、Ｂａｃｉｌｌｕｓ  ｓｐｈａｅｒｉｃｕｓ、Ｂａｃｉｌｌｕｓ  ｓｕｂｔｉｌｉｓ、Ｂａｃｉｌｌｕｓ  ｔｈｕｒｉｎｇｉｅｎｓｉｓ、Ｃｈｒｏｍｏｂａｃｔｅｒｉｕｍ  ｓｕｔｔｓｕｇａ、Ｐａｓｔｅｕｒｉａ  ｐｅｎｅｔｒａｎｓ、Ｐａｓｔｅｕｒｉａ  ｕｓａｇｅ、及びＰｓｅｕｄｏｍｏｎａ  ｆｌｕｏｒｅｓｃｅｎｓの１種または複数種を含んでいてもよい。いくつかの実施形態によれば、生物農薬としての微生物は、Ａｌｔｅｒｎａｒｉａ、Ａｍｐｅｌｏｍｙｃｅｓ、Ａｓｐｅｒｇｉｌｌｕｓ、Ａｕｒｅｏｂａｓｉｄｉｕｍ、Ｂｅａｕｖｅｒｉａ、Ｃｏｌｌｅｔｏｔｒｉｃｈｕｍ、Ｃｏｎｉｏｔｈｙｒｉｕｍ、Ｇｌｉｏｃｌａｄｉｕｍ、Ｍｅｔａｒｈｉｚｉｕｍ、Ｍｕｓｃｏｄｏｒ、Ｐａｅｃｉｌｏｍｙｃｅｓ、Ｔｒｉｃｈｏｄｅｒｍａ、Ｔｙｐｈｕｌａ、Ｕｌｏｃｌａｄｉｕｍ、及びＶｅｒｔｉｃｉｌｌｉｕｍ属の真菌を含んでいてもよい。別の態様において、真菌は、Ｂｅａｕｖｅｒｉａ  ｂａｓｓｉａｎａ、Ｃｏｎｉｏｔｈｙｒｉｕｍ  ｍｉｎｉｔａｎｓ、Ｇｌｉｏｃｌａｄｉｕｍ  ｖｉｒｅｎｓ、Ｍｕｓｃｏｄｏｒ  ａｌｂｕｓ、Ｐａｅｃｉｌｏｍｙｃｅｓ  ｌｉｌａｃｉｎｕｓ、またはＴｒｉｃｈｏｄｅｒｍａ  ｐｏｌｙｓｐｏｒｕｍである。
【００７７】
いくつかの実施形態における組成物は、１種または複数種の殺生物剤を含んでいてもよい。殺生物成分は、特に当該組成物の貯蔵中に、該組成物中での真菌及び／または細菌の増殖を防ぐために含まれていてもまたは用いられてもよい。殺生物剤の例としてはジクロロフェンまたはベンジルアルコールヘミホルマール系化合物、ベンゾイソチアゾリノン、及びラムノリピドが挙げられる。市販の殺生物剤の非限定的な例としては、ＡＣＴＩＣＩＤＥ（ＴＨＯＲ）、ＰＲＯＸＥＬ（Ａｒｃｈ  Ｃｈｅｍｉｃａｌ）、及びＺＯＮＩＸ（Ｊｅｎｅｉｌ）が挙げられる。
【００７８】
いくつかの実施形態における組成物及び製剤は、微生物株または分離株に加えて、バイオスティミュラント、栄養素、植物シグナル分子、もしくは生物学的に活性な薬剤などの１種または複数種の農学的に有益な薬剤を更に含んでいてもよい。
【００７９】
いくつかの実施形態によれば、組成物は１種または複数種の有益なバイオスティミュラントを含んでいてもよい。バイオスティミュラントは、呼吸、光合成、核酸の取り込み、イオンの取り込み、栄養素の供給、もしくはそれらの組み合わせなどの代謝のまたは生理学的な過程を増進させることができる。本明細書に記載の組成物に含まれていてもよいまたは用いられてもよいバイオスティミュラントの非限定的な例としては、海藻抽出物（例えば、ａｓｃｏｐｈｙｌｌｕｍ  ｎｏｄｏｓｕｍ）、細菌抽出物（例えば、１種または複数種のジアゾ栄養生物、リン酸可溶化微生物、及び／もしくは生物農薬の抽出物）、真菌抽出物、フミン酸（例えば、フミン酸カリウム）、フルボ酸、ミオイノシトール、及び／またはグリシン、ならびにそれらの任意の組み合わせを挙げることができる。いくつかの実施形態によれば、上記バイオスティミュラントは、１種もしくは複数種のＡｚｏｓｐｉｒｉｌｌｕｍ抽出物（例えば、Ａ．  Ｂｒａｚｉｌｅｎｓｅ  ＩＮＴＡ  Ａｚ−３９を含む培地の抽出物）、１種もしくは複数種のＢｒａｄｙｒｈｉｚｏｂｉｕｍ抽出物（例えば、Ｂ．  ｅｌｋａｎｉｉ  ＳＥＭＩＡ  ５０１、Ｂ．  ｅｌｋａｎｉｉ  ＳＥＭＩＡ  ５８７、Ｂ．  ｅｌｋａｎｉｉ  ＳＥＭＩＡ  ５０１９、Ｂ．  ｊａｐｏｎｉｃｕｍ  ＮＲＲＬ  Ｂ−５０５８６（ＮＲＲＬＢ−５９５６５としても寄託）、Ｂ．  ｊａｐｏｎｉｃｕｍ  ＮＲＲＬ  Ｂ−５０５８７（ＮＲＲＬ  Ｂ−５９５６６としても寄託）、Ｂ．  ｊａｐｏｎｉｃｕｍ  ＮＲＲＬ  Ｂ−５０５８８（ＮＲＲＬ  Ｂ−５９５６７としても寄託）、Ｂ．  ｊａｐｏｎｉｃｕｍ  ＮＲＲＬ  Ｂ−５０５８９（ＮＲＲＬ  Ｂ−５９５６８としても寄託）、Ｂ．  ｊａｐｏｎｉｃｕｍ  ＮＲＲＬ  Ｂ−５０５９０（ＮＲＲＬ  Ｂ−５９５６９としても寄託）、Ｂ．  ｊａｐｏｎｉｃｕｍ  ＮＲＲＬ  Ｂ−５０５９１（ＮＲＲＬ  Ｂ−５９５７０としても寄託）、Ｂ．  ｊａｐｏｎｉｃｕｍ  ＮＲＲＬ  Ｂ−５０５９２（ＮＲＲＬ  Ｂ−５９５７１としても寄託）、Ｂ．  ｊａｐｏｎｉｃｕｍ  ＮＲＲＬ  Ｂ−５０５９３（ＮＲＲＬ  Ｂ−５９５７２としても寄託）、Ｂ．  ｊａｐｏｎｉｃｕｍ  ＮＲＲＬ  Ｂ−５０５９４（ＮＲＲＬ  Ｂ−５０４９３としても寄託）、Ｂ．  ｊａｐｏｎｉｃｕｍ  ＮＲＲＬ  Ｂ−５０６０８、Ｂ．  ｊａｐｏｎｉｃｕｍ  ＮＲＲＬ  Ｂ−５０６０９、Ｂ．  ｊａｐｏｎｉｃｕｍ  ＮＲＲＬ  Ｂ−５０６１０、Ｂ．  ｊａｐｏｎｉｃｕｍ  ＮＲＲＬ  Ｂ−５０６１１、Ｂ．  ｊａｐｏｎｉｃｕｍ  ＮＲＲＬ  Ｂ−５０６１２、Ｂ．  ｊａｐｏｎｉｃｕｍ  ＮＲＲＬ  Ｂ−５０７２６、Ｂ．  ｊａｐｏｎｉｃｕｍ  ＮＲＲＬ  Ｂ−５０７２７、Ｂ．  ｊａｐｏｎｉｃｕｍ  ＮＲＲＬ  Ｂ−５０７２８、Ｂ．  ｊａｐｏｎｉｃｕｍ  ＮＲＲＬ  Ｂ−５０７２９、Ｂ．  ｊａｐｏｎｉｃｕｍ  ＮＲＲＬ  Ｂ−５０７３０、Ｂ．  ｊａｐｏｎｉｃｕｍ  ＳＥＭＩＡ  ５６６、Ｂ．  ｊａｐｏｎｉｃｕｍ  ＳＥＭＩＡ  ５０７９、Ｂ．  ｊａｐｏｎｉｃｕｍ  ＳＥＭＩＡ  ５０８０、Ｂ．  ｊａｐｏｎｉｃｕｍ  ＵＳＤＡ  ６、Ｂ．  ｊａｐｏｎｉｃｕｍ  ＵＳＤＡ  １１０、Ｂ．  ｊａｐｏｎｉｃｕｍ  ＵＳＤＡ  １２２、Ｂ．  ｊａｐｏｎｉｃｕｍ  ＵＳＤＡ  １２３、Ｂ．  ｊａｐｏｎｉｃｕｍ  ＵＳＤＡ  １２７、Ｂ．  ���ａｐｏｎｉｃｕｍ  ＵＳＤＡ  １２９及び／またはＢ．  ｊａｐｏｎｉｃｕｍ  ＵＳＤＡ  ５３２Ｃを含む培地の抽出物）、１種もしくは複数種のＲｈｉｚｏｂｉｕｍ抽出物（例えば、Ｒ．  ｌｅｇｕｍｉｎｏｓａｒｕｍ  ＳＯ１２Ａ−２を含む培地の抽出物）、１種もしくは複数種のＳｉｎｏｒｈｉｚｏｂｉｕｍ抽出物（例えば、Ｓ．  ｆｒｅｄｉｉ  ＣＣＢＡＵ１１４及び／またはＳ．  ｆｒｅｄｉｉ  ＵＳＤＡ  ２０５を含む培地の抽出物）、１種もしくは複数種のＰｅｎｉｃｉｌｌｉｕｍ抽出物（例えば、Ｐ．  ｂｉｌａｉａｅ  ＡＴＣＣ  １８３０９、Ｐ．  ｂｉｌａｉａｅ  ＡＴＣＣ  ２０８５１、Ｐ．  ｂｉｌａｉａｅ  ＡＴＣＣ  ２２３４８、Ｐ．  ｂｉｌａｉａｅ  ＮＲＲＬ  ５０１６２、Ｐ．  ｂｉｌａｉａｅ  ＮＲＲＬ  ５０１６９、Ｐ．  ｂｉｌａｉａｅ  ＮＲＲＬ  ５０７７６、Ｐ．  ｂｉｌａｉａｅ  ＮＲＲＬ  ５０７７７、Ｐ．  ｂｉｌａｉａｅ  ＮＲＲＬ  ５０７７８、Ｐ．  ｂｉｌａｉａｅ  ＮＲＲＬ  ５０７７７、Ｐ．  ｂｉｌａｉａｅ  ＮＲＲＬ  ５０７７８、Ｐ．  ｂｉｌａｉａｅ  ＮＲＲＬ  ５０７７９、Ｐ．  ｂｉｌａｉａｅ  ＮＲＲＬ  ５０７８０、Ｐ．  ｂｉｌａｉａｅ  ＮＲＲＬ  ５０７８１、Ｐ．  ｂｉｌａｉａｅ  ＮＲＲＬ  ５０７８２、Ｐ．  ｂｉｌａｉａｅ  ＮＲＲＬ  ５０７８３、Ｐ．  ｂｉｌａｉａｅ  ＮＲＲＬ  ５０７８４、Ｐ．  ｂｉｌａｉａｅ  ＮＲＲＬ  ５０７８５、Ｐ．  ｂｉｌａｉａｅ  ＮＲＲＬ  ５０７８６、Ｐ．  ｂｉｌａｉａｅ  ＮＲＲＬ  ５０７８７、Ｐ．  ｂｉｌａｉａｅ  ＮＲＲＬ  ５０７８８、Ｐ．  ｂｉｌａｉａｅ  ＲＳ７Ｂ−ＳＤ１、Ｐ．  ｂｒｅｖｉｃｏｍｐａｃｔｕｍ  ＡｇＲＦ１８、Ｐ．  ｃａｎｅｓｃｅｎｓ  ＡＴＣＣ  １０４１９、Ｐ．  ｅｘｐａｎｓｕｍ  ＡＴＣＣ  ２４６９２、Ｐ．  ｅｘｐａｎｓｕｍ  ＹＴ０２、Ｐ．  ｆｅｌｌａｔａｎｕｍ  ＡＴＣＣ  ４８６９４、Ｐ．  ｇａｅｓｔｒｉｖｏｒｕｓ  ＮＲＲＬ  ５０１７０、Ｐ．  ｇｌａｂｒｕｍ  ＤＡＯＭ  ２３９０７４、Ｐ．  ｇｌａｂｒｕｍ  ＣＢＳ  ２２９．２８、Ｐ．  ｊａｎｔｈｉｎｅｌｌｕｍ  ＡＴＣＣ  １０４５５、Ｐ．  ｌａｎｏｓｏｃｏｅｒｕｌｅｕｍ  ＡＴＣＣ  ４８９１９、Ｐ．  ｒａｄｉｃｕｍ  ＡＴＣＣ  ２０１８３６、Ｐ．  ｒａｄｉｃｕｍ  ＦＲＲ  ４７１７、Ｐ．  ｒａｄｉｃｕｍ  ＦＲＲ  ４７１９、Ｐ．  ｒａｄｉｃｕｍ  Ｎ９３／４７２６７、及び／またはＰ．  ｒａｉｓｔｒｉｃｋｉｉ  ＡＴＣＣ  １０４９０を含む培地の抽出物）、１種もしくは複数種のＰｓｅｕｄｏｍｏｎａｓ抽出物（例えば、Ｐ．  ｊｅｓｓｅｎｉｉ  ＰＳ０６を含む培地の抽出物）、１種もしくは複数種の殺ダニ剤、殺虫剤、及び／または殺線虫剤抽出物（例えば、Ｂａｃｉｌｌｕｓ  ｆｉｒｍｕｓ  Ｉ−１５８２、Ｂａｃｉｌｌｕｓ  ｍｙｃｏｉｄｅｓ  ＡＱ７２６、ＮＲＲＬ  Ｂ−２１６６４；Ｂｅａｕｖｅｒｉａ  ｂａｓｓｉａｎａ  ＡＴＣＣ−７４０４０、Ｂｅａｕｖｅｒｉａ  ｂａｓｓｉａｎａ  ＡＴＣＣ−７４２５０、Ｂｕｒｋｈｏｌｄｅｒｉａ  ｓｐ．  Ａ３９６  ｓｐ．  ｎｏｖ．  ｒｉｎｏｊｅｎｓｉｓ、ＮＲＲＬ  Ｂ−５０３１９、Ｃｈｒｏｍｏｂａｃｔｅｒｉｕｍ  ｓｕｂｔｓｕｇａｅ  ＮＲＲＬ  Ｂ−３０６５５、Ｃｈｒｏｍｏｂａｃｔｅｒｉｕｍ  ｖａｃｃｉｎｉｉ  ＮＲＲＬ  Ｂ−５０８８０、Ｆｌａｖｏ��ａｃｔｅｒｉｕｍ  Ｈ４９２、ＮＲＲＬ  Ｂ−５０５８４、Ｍｅｔａｒｈｉｚｉｕｍ  ａｎｉｓｏｐｌｉａｅ  Ｆ５２（Ｍｅｔａｒｈｉｚｉｕｍ  ａｎｉｓｏｐｌｉａｅ株５２、Ｍｅｔａｒｈｉｚｉｕｍ  ａｎｉｓｏｐｌｉａｅ  ｓｔｒａｉｎ  ７、Ｍｅｔａｒｈｉｚｉｕｍ  ａｎｉｓｏｐｌｉａｅ株４３、及びＭｅｔａｒｈｉｚｉｕｍ  ａｎｉｓｏｐｌｉａｅ  ＢＩＯ−１０２０、ＤＳＭ  ３８８４、ＤＳＭ  ３８８５、ＡＴＣＣ  ９０４４８、ＳＤ  １７０、及びＡＲＳＥＦ  ７７１１として寄託のＴＡＥ−００１）、及び／またはＰａｅｃｉｌｏｍｙｃｅｓ  ｆｕｍｏｓｏｒｏｓｅｕｓ  ＦＥ９９１を含む培地の抽出物）、及び／または１種もしくは複数種の殺真菌剤抽出物（例えば、Ａｍｐｅｌｏｍｙｃｅｓ  ｑｕｉｓｑｕａｌｉｓ  ＡＱ  １０（登録商標）（Ｉｎｔｒａｃｈｅｍ  Ｂｉｏ  ＧｍｂＨ  ＆  Ｃｏ．  ＫＧ，  Ｇｅｒｍａｎｙ）、Ａｓｐｅｒｇｉｌｌｕｓ  ｆｌａｖｕｓ  ＡＦＬＡ−ＧＵＡＲＤ（登録商標）（Ｓｙｎｇｅｎｔａ  Ｃｒｏｐ  Ｐｒｏｔｅｃｔｉｏｎ，  Ｉｎｃ．，  ＣＨ）、Ａｕｒｅｏｂａｓｉｄｉｕｍ  ｐｕｌｌｕｌａｎｓ  ＢＯＴＥＣＴＯＲ（登録商標）（ｂｉｏ  ｆｅｒｍ  ＧｍｂＨ，  Ｇｅｒｍａｎｙ）、Ｂａｃｉｌｌｕｓ  ｐｕｍｉｌｕｓＡＱ７１７（ＮＲＲＬ  Ｂ  ２１６６２）、Ｂａｃｉｌｌｕｓ  ｐｕｍｉｌｕｓ  ＮＲＲＬ  Ｂ−３００８７、Ｂａｃｉｌｌｕｓ  ＡＱ１７５（ＡＴＣＣ  ５５６０８）、Ｂａｃｉｌｌｕｓ  ＡＱ１７７（ＡＴＣＣ  ５５６０９）、Ｂａｃｉｌｌｕｓ  ｓｕｂｔｉｌｉｓ  ＡＱ７１３（ＮＲＲＬ  Ｂ−２１６６１）、Ｂａｃｉｌｌｕｓ  ｓｕｂｔｉｌｉｓ  ＡＱ７４３（ＮＲＲＬ  Ｂ−２１６６５）、Ｂａｃｉｌｌｕｓ  ａｍｙｌｏｌｉｑｕｅｆａｃｉｅｎｓ  ＦＺＢ２４、Ｂａｃｉｌｌｕｓ  ａｍｙｌｏｌｉｑｕｅｆａｃｉｅｎｓ  ＮＲＲＬ  Ｂ  ５０３４９、Ｂａｃｉｌｌｕｓ  ａｍｙｌｏｌｉｑｕｅｆａｃｉｅｎｓ  ＴＪ１０００（１ＢＥ、分離株ＡＴＣＣ  ＢＡＡ−３９０としても知られる）、Ｂａｃｉｌｌｕｓ  ｔｈｕｒｉｎｇｉｅｎｓｉｓ  ＡＱ５２  （ＮＲＲＬ  Ｂ−２１６１９）、Ｃａｎｄｉｄａ  ｏｌｅｏｐｈｉｌａ  Ｉ  ８２（例えば、Ｅｃｏｇｅｎ  Ｉｎｃ．，  ＵＳＡより供給されるＡＳＰＩＲＥ（登録商標））、Ｃａｎｄｉｄａ  ｓａｉｔｏａｎａ  ＢＩＯＣＵＲＥ（登録商標）  （リゾチームとの混合物；ＢＡＳＦ，  ＵＳＡ）及びＢＩＯＣＯＡＴ（登録商標）（ＡｒｙｓｔａＬｉｆｅ  Ｓｃｉｅｎｃｅ，  Ｌｔｄ．，  Ｃａｒｙ，  ＮＣ），  Ｃｌｏｎｏｓｔａｃｈｙｓ  ｒｏｓｅａ  ｆ．  ｃａｔｅｎｕｌａｔａ  （Ｇｌｉｏｃｌａｄｉｕｍ  ｃａｔｅｎｕｌａｔｕｍとも呼ばれる）Ｊ１４４６（ＰＲＥＳＴＯＰ（登録商標）、Ｖｅｒｄｅｒａ，  Ｆｉｎｌａｎｄ）、Ｃｏｎｉｏｔｈｙｒｉｕｍ  ｍｉｎｉｔａｎｓ  ＣＯＮＴＡＮＳ（登録商標）（Ｐｒｏｐｈｙｔａ，  Ｇｅｒｍａｎｙ）、Ｃｒｙｐｈｏｎｅｃｔｒｉａ  ｐａｒａｓｉｔｉｃａ（ＣＮＩＣＭ，  Ｆｒａｎｃｅ）、Ｃｒｙｐｔｏｃｏｃｃｕｓ  ａｌｂｉｄｕｓ  ＹＩＥＬＤ  ＰＬＵＳ（登録商標）（Ａｎｃｈｏｒ  Ｂｉｏ  Ｔｅｃｈｎｏｌｏｇｉｅｓ，  Ｓｏｕｔｈ  Ａｆｒｉｃａ）、Ｆｕｓａｒｉｕｍ  ｏｘｙｓｐｏｒｕｍ  ＢＩＯＦＯＸ（登録商標）（ｆｒｏｍ  Ｓ．Ｉ．Ａ．Ｐ．Ａ．，  Ｉｔａｌｙ）及びＦＵＳＡＣＬＥＡＮ（登録商標）（Ｎａｔｕｒａｌ  Ｐｌａｎｔ  Ｐｒｏｔｅｃｔｉｏｎ，  Ｆｒａｎｃｅ）、Ｍｅｔｓｃｈｎｉｋｏｗｉａ  ｆｒｕｃｔｉｃｏｌａ  ＳＨＥＭＥＲ（登録商標）（Ａｇｒｏｇｒｅｅｎ，  Ｉｓｒａｅｌ）、Ｍｉｃｒｏｄｏｃｈｉｕｍ  ｄｉｍｅｒｕｍ  ＡＮＴＩＢＯＴ（登録商標）（Ａｇｒａｕｘｉｎｅ，  Ｆｒａｎｃｅ）、Ｍｕｓｃｏｄｏｒ  ａｌｂｕｓ  ＮＲＲＬ  ３０５４７、Ｍｕｓｃｏｄｏｒ  ｒｏｓｅｕｓ  ＮＲＲＬ  ３０５４８、Ｐｈｌｅｂｉｏｐｓｉｓ  ｇｉｇａｎｔｅａ  ＲＯＴＳＯＰ（登録商標）（Ｖｅｒｄｅｒａ，  Ｆｉｎｌａｎｄ）、Ｐｓｅｕｄｏｚｙｍａ  ｆｌｏｃｃｕｌｏｓａ  ＳＰＯＲＯＤＥＸ（登録商標）（Ｐｌａｎｔ  Ｐｒｏｄｕｃｔｓ  Ｃｏ．  Ｌｔｄ．，  Ｃａｎａｄａ）、Ｐｙｔｈｉｕｍ  ｏｌｉｇａｎｄｒｕｍ  ＤＶ７４  （ＰＯＬＹＶＥＲＳＵＭ（登録商標）、Ｒｅｍｅｓｌｏ  ＳＳＲＯ、Ｂｉｏｐｒｅｐａｒａｔｙ，  Ｃｚｅｃｈ  Ｒｅｐ．）、Ｒｅｙｎｏｕｔｒｉａ  ｓａｃｈｌｉｎｅｎｓｉｓ（例えば、Ｍａｒｒｏｎｅ  ＢｉｏＩｎｎｏｖａｔｉｏｎｓ，  ＵＳＡから供給されるＲＥＧＡＬＩＡ（登録商標））、Ｓｔｒｅｐｔｏｍｙｃｅｓ  ＮＲＲＬ  Ｂ−３０１４５、Ｓｔｒｅｐｔｏｍｙｃｅｓ  Ｍ１０６４、Ｓｔｒｅｐｔｏｍｙｃｅｓ  ｇａｌｂｕｓ  ＮＲＲＬ  ３０２３２、Ｓｔｒｅｐｔｏｍｙｃｅｓ  ｌｙｄｉｃｕｓ  ＷＹＥＣ  １０８  （ＡＴＣＣ  ５５４４５）、Ｓｔｒｅｐｔｏｍｙｃｅｓ  ｖｉｏｌａｃｅｕｓｎｉｇｅｒ  ＹＣＥＤ  ９（ＡＴＣＣ  ５５６６０；ＤＥ−ＴＨＡＴＣＨ−９（登録商標）、ＤＥＣＯＭＰ−９（登録商標）及びＴＨＡＴＣＨ  ＣＯＮＴＲＯＬ（登録商標）、Ｉｄａｈｏ  Ｒｅｓｅａｒｃｈ  Ｆｏｕｎｄａｔｉｏｎ，  ＵＳＡ）、Ｓｔｒｅｐｔｏｍｙｃｅｓ  ＷＹＥ  ５３（ＡＴＣＣ  ５５７５０；ＤＥ−ＴＨＡＴＣＨ−９（登録商標）、ＤＥＣＯＭＰ−９（登録商標）及びＴＨＡＴＣＨ  ＣＯＮＴＲＯＬ（登録商標）、Ｉｄａｈｏ  Ｒｅｓｅａｒｃｈ  Ｆｏｕｎｄａｔｉｏｎ，  ＵＳＡ）、Ｔａｌａｒｏｍｙｃｅｓ  ｆｌａｖｕｓ  Ｖ１１７ｂ（ＰＲＯＴＵＳ（登録商標）、Ｐｒｏｐｈｙｔａ，  Ｇｅ
ｒｍａｎｙ）、Ｔｒｉｃｈｏｄｅｒｍａ  ａｓｐｅｒｅｌｌｕｍ  ＳＫＴ−１（ＥＣＯ−ＨＯＰＥ（登録商標）、Ｋｕｍｉａｉ  Ｃｈｅｍｉｃａｌ  Ｉｎｄｕｓｔｒｙ  Ｃｏ．，  Ｌｔｄ．，  Ｊａｐａｎ）、Ｔｒｉｃｈｏｄｅｒｍａ  ａｔｒｏｖｉｒｉｄｅ  ＬＣ５２（ＳＥＮＴＩＮＥＬ（登録商標）、Ａｇｒｉｍｍ  Ｔｅｃｈｎｏｌｏｇｉｅｓ  Ｌｔｄ，  ＮＺ）、Ｔｒｉｃｈｏｄｅｒｍａ  ｈａｒｚｉａｎｕｍ  Ｔ  ２２（ＰＬＡＮＴＳＨＩＥＬＤ（登録商標）、ｄｅｒ  Ｆｉｒｍａ  ＢｉｏＷｏｒｋｓ  Ｉｎｃ．，  ＵＳＡ）、Ｍｙｃｏｎｔｒｏｌ  Ｌｔｄ．，  Ｉｓｒａｅｌから供給されるＴｒｉｃｈｏｄｅｒｍａ  ｈａｒｚｉａｎｕｍ  ＴＨ−３５（ＲＯＯＴ  ＰＲＯ（登録商標））、Ｔｒｉｃｈｏｄｅｒｍａ  ｈａｒｚｉａｎｕｍ  Ｔ  ３９  （ＴＲＩＣＨＯＤＥＸ（登録商標）、Ｍｙｃｏｎｔｒｏｌ  Ｌｔｄ．，  Ｉｓｒａｅｌ；ＴＲＩＣＨＯＤＥＲＭＡ  ２０００（登録商標）、Ｍａｋｈｔｅｓｈｉｍ  Ｌｔｄ．，  Ｉｓｒａｅｌ）、Ｔｒｉｃｈｏｄｅｒｍａ  ｈａｒｚｉａｎｕｍ  ＩＣＣ０１２及びＴｒｉｃｈｏｄｅｒｍａ  ｖｉｒｉｄｅ  ＴＲＩＣＨＯＰＥＬ（Ａｇｒｉｍｍ  Ｔｅｃｈｎｏｌｏｇｉｅｓ  Ｌｔｄ，  ＮＺ）、Ｔｒｉｃｈｏｄｅｒｍａ  ｈａｒｚｉａｎｕｍ  ＩＣＣ０１２及びＴｒｉｃｈｏｄｅｒｍａ  ｖｉｒｉｄｅ  ＩＣＣ０８０  （ＲＥＭＥＤＩＥＲ（登録商標）ＷＰ，  Ｉｓａｇｒｏ  Ｒｉｃｅｒｃａ，  Ｉｔａｌｙ）、Ｔｒｉｃｈｏｄｅｒｍａ  ｐｏｌｙｓｐｏｒｕｍ及びＴｒｉｃｈｏｄｅｒｍａ  ｈａｒｚｉａｎｕｍ  （ＢＩＮＡＢ（登録商標）、ＢＩＮＡＢ  Ｂｉｏ  Ｉｎｎｏｖａｔｉｏｎ  ＡＢ，  Ｓｗｅｄｅｎ）、Ｔｒｉｃｈｏｄｅｒｍａ  ｓｔｒｏｍａｔｉｃｕｍ  ＴＲＩＣＯＶＡＢ（登録商標）（Ｃ．Ｅ．Ｐ．Ｌ．Ａ．Ｃ．，  Ｂｒａｚｉｌ）、Ｔｒｉｃｈｏｄｅｒｍａ  ｖｉｒｅｎｓ  ＧＬ  ２１  （ＳＯＩＬＧＡＲＤ（登録商標）、Ｃｅｒｔｉｓ  ＬＬＣ，  ＵＳＡ）、Ｔｒｉｃｈｏｄｅｒｍａ  ｖｉｒｅｎｓ  Ｇ１−３、ＡＴＣＣ  ５７６７８，  Ｔｒｉｃｈｏｄｅｒｍａ  ｖｉｒｅｎｓ  Ｇ１−２１（Ｔｈｅｒｍｏ  Ｔｒｉｌｏｇｙ  Ｃｏｒｐｏｒａｔｉｏｎ，  Ｗａｓｃｏ，  ＣＡ）、Ｔｒｉｃｈｏｄｅｒｍａ  ｖｉｒｅｎｓ  Ｇ１−３及びＢａｃｉｌｌｕｓ  ａｍｙｌｏｌｉｑｕｅｆａｃｉｅｎｓ  ＦＺＢ２、Ｔｒｉｃｈｏｄｅｒｍａ  ｖｉｒｅｎｓ  Ｇ１−３及びＢａｃｉｌｌｕｓ  ａｍｙｌｏｌｉｑｕｅｆａｃｉｅｎｓ  ＮＲＲＬ  Ｂ  ５０３４９、Ｔｒｉｃｈｏｄｅｒｍａ  ｖｉｒｅｎｓ  Ｇ１−３及びＢａｃｉｌｌｕｓ  ａｍｙｌｏｌｉｑｕｅｆａｃｉｅｎｓ  ＴＪ１０００、Ｔｒｉｃｈｏｄｅｒｍａ  ｖｉｒｅｎｓ  Ｇ１−２１及びＢａｃｉｌｌｕｓ  ａｍｙｌｏｌｉｑｕｅｆａｃｉｅｎｓ  ＦＺＢ２４、Ｔｒｉｃｈｏｄｅｒｍａ  ｖｉｒｅｎｓ  Ｇ１−２１及びＢａｃｉｌｌｕｓ  ａｍｙｌｏｌｉｑｕｅｆａｃｉｅｎｓ  ＮＲＲＬ  Ｂ  ５０３４９、Ｔｒｉｃｈｏｄｅｒｍａ  ｖｉｒｅｎｓ  Ｇ１−２１及びＢａｃｉｌｌｕｓ  ａｍｙｌｏｌｉｑｕｅｆａｃｉｅｎｓ  ＴＪ１０００、Ｔｒｉｃｈｏｄｅｒｍａ  ｖｉｒｉｄｅ  ＴＲＩＥＣＯ（登録商標）（Ｅｃｏｓｅｎｓｅ  Ｌａｂｓ．  （Ｉｎｄｉａ）  Ｐｖｔ．  Ｌｔｄ．，  Ｉｎｄｉｅｎ、Ｔ．  Ｓｔａｎｅｓ  ＆  Ｃｏ．  Ｌｔｄ．，  Ｉｎｄｉｅｎから供給されるＢＩＯ−ＣＵＲＥ（登録商標）Ｆ）、Ｔｒｉｃｈｏｄｅｒｍａ  ｖｉｒｉｄｅ  ＴＶ１  （Ａｇｒｉｂｉｏｔｅｃ  ｓｒｌ，  Ｉｔａｌｙ）、Ｔｒｉｃｈｏｄｅｒｍａ  ｖｉｒｉｄｅ  ＩＣＣ０８０、及び／またはＵｌｏｃｌａｄｉｕｍ  ｏｕｄｅｍａｎｓｉｉ  ＨＲＵ３（ＢＯＴＲＹ  ＺＥＮ（登録商標）、Ｂｏｔｒｙ  Ｚｅｎ  Ｌｔｄ，  ＮＺ）を含む培地の抽出物）、及びそれらの組み合わせを含んでいてもよい。
【００８０】
いくつかの実施形態における組成物は、１種または複数種の生物学的に活性な成分を含んでいてもよい。生物学的に活性な成分の非限定的な例としては、植物成長調節剤、植物シグナル分子、成長促進剤、微生物刺激分子、生体分子、土壌改良剤、栄養素、植物栄養強化剤など、例えばリポキトオリゴ糖（ＬＣＯ）、キトオリゴ糖（ＣＯ）、キチン化合物、フラボノイド、ジャスモン酸またはその誘導体（例えば、ジャスモナート）、サイトカイニン、オーキシン、ジベレリン、アブシジン酸、エチレン、ブラシノステロイド、サリシラート、多量及び微量栄養素、リノール酸またはその誘導体、リノレン酸またはその誘導体、カリキン等）、及び有益な微生物（例えば、Ｒｈｉｚｏｂｉｕｍ  ｓｐｐ．、Ｂｒａｄｙｒｈｉｚｏｂｉｕｍ  ｓｐｐ．、Ｓｉｎｏｒｈｉｚｏｂｉｕｍ  ｓｐｐ．、Ａｚｏｒｈｉｚｏｂｉｕｍ  ｓｐｐ．、Ｇｌｏｍｕｓ  ｓｐｐ．、Ｇｉｇａｓｐｏｒａ  ｓｐｐ．、Ｈｙｍｅｎｏｓｃｙｐｈｏｕｓ  ｓｐｐ．、Ｏｉｄｉｏｄｅｎｄｒｏｎ  ｓｐｐ．、Ｌａｃｃａｒｉａ  ｓｐｐ．、Ｐｉｓｏｌｉｔｈｕｓ  ｓｐｐ．、Ｒｈｉｚｏｐｏｇｏｎ  ｓｐｐ．、Ｓｃｌｅｒｏｄｅｒｍａ  ｓｐｐ、Ｒｈｉｚｏｃｔｏｎｉａ  ｓｐｐ．、Ａｃｉｎｅｔｏｂａｃｔｅｒ  ｓｐｐ．、Ａｒｔｈｒｏｂａｃｔｅｒ  ｓｐｐ、Ａｒｔｈｒｏｂｏｔｒｙｓ  ｓｐｐ．、Ａｓｐｅｒｇｉｌｌｕｓ  ｓｐｐ．、Ａｚｏｓｐｉｒｉｌｌｕｍ  ｓｐｐ、Ｂａｃｉｌｌｕｓ  ｓｐｐ、Ｂｕｒｋｈｏｌｄｅｒｉａ  ｓｐｐ．、Ｃａｎｄｉｄａ  ｓｐｐ．、Ｃｈｒｙｓｅｏｍｏｎａｓ  ｓｐｐ．、Ｅｎｔｅｒｏｂａｃｔｅｒ  ｓｐｐ．、Ｅｕｐｅｎｉｃｉｌｌｉｕｍ  ｓｐｐ．、Ｅｘｉｇｕｏｂａｃｔｅｒｉｕｍ  ｓｐｐ．、Ｋｌｅｂｓｉｅｌｌａ  ｓｐｐ．、Ｋｌｕｙｖｅｒａ  ｓｐｐ．，  Ｍｉｃｒｏｂａｃｔｅｒｉｕｍ  ｓｐｐ．、Ｍｕｃｏｒ  ｓｐｐ．、Ｐａｅｃｉｌｏｍｙｃｅｓ  ｓｐｐ．、Ｐａｅｎｉｂａｃｉｌｌｕｓ  ｓｐｐ．、Ｐｅｎｉｃｉｌｌｉｕｍ  ｓｐｐ．、Ｐｓｅｕｄｏｍｏｎａｓ  ｓｐｐ．、Ｓｅｒｒａｔｉａ  ｓｐｐ．、Ｓｔｅｎｏｔｒｏｐｈｏｍｏｎａｓ  ｓｐｐ．、Ｓｔｒｅｐｔｏｍｙｃｅｓ  ｓｐｐ．、Ｓｔｒｅｐｔｏｓｐｏｒａｎｇｉｕｍ  ｓｐｐ．、Ｓｗａｍｉｎａｔｈａｎｉａ  ｓｐｐ．、Ｔｈｉｏｂａｃｉｌｌｕｓ  ｓｐｐ．、Ｔｏｒｕｌｏｓｐｏｒａ  ｓｐｐ．、Ｖｉｂｒｉｏ  ｓｐｐ．、Ｘａｎｔｈｏｂａｃｔｅｒ  ｓｐｐ．、Ｘａｎｔｈｏｍｏｎａｓ  ｓｐｐ．など）、及びそれらの組み合わせが挙げられる。
【００８１】
いくつかの実施形態における組成物は、１種または複数種のリポキトオリゴ糖（ＬＣＯ）、キトオリゴ糖（ＣＯ）、及び／またはキチン化合物を含んでいてもよい。共生的根粒形成（Ｎｏｄ）シグナル（もしくはＮｏｄ因子）またはＭｙｃ因子とも呼ばれるＬＣＯは、非還元末端で縮合した、Ｎに結合した脂肪族アシル鎖を有するβ−１，４−結合したＮ−アセチル−Ｄ−グルコサミン（「ＧｌｃＮＡｃ」）残基のオリゴ糖主鎖からなる。当技術分野で理解されているように、ＬＣＯは、上記主鎖中のＧｌｃＮＡｃ残基の数、上記脂肪族アシル鎖の長さ及び飽和度、ならびに還元性及び非還元性糖残基の置換が異なる。例えば、Ｄｅｎａｒｉｅ  ｅｔ  ａｌ．，  Ａｎｎ．  Ｒｅｖ．  Ｂｉｏｃｈｅｍ．  ６５：５０３  （１９９６）；Ｄｉａｚ  ｅｔ  ａｌ．，  Ｍｏｌ．  Ｐｌａｎｔ  Ｍｉｃｒｏｂｅ  Ｉｎｔｅｒａｃｔｉｏｎｓ  １３：２６８  （２０００）；Ｈｕｎｇｒｉａ  ｅｔ  ａｌ．，  Ｓｏｉｌ  Ｂｉｏｌ．  Ｂｉｏｃｈｅｍ．  ２９：８１９  （１９９７）；Ｈａｍｅｌ  ｅｔ  ａｌ．，  Ｐｌａｎｔａ  ２３２：７８７  （２０１０）；及びＰｒｏｍｅ  ｅｔ  ａｌ．，  Ｐｕｒｅ  ＆  Ａｐｐｌ．  Ｃｈｅｍ．  ７０（１）：５５  （１９９８）を参照されたく、これらの内容及び開示は参照により本明細書に援用される。
【００８２】
ＬＣＯは合成品であっても、または任意且つ適宜の供給源から得てもよい。例えば、ＷＯ２００５／０６３７８４、ＷＯ２００７／１１７５００、及びＷＯ２００８／０７１６７４を参照されたく、これらの内容及び開示内容は参照により本明細書に援用される。いくつかの態様において、合成ＬＣＯは、天然に存在するＬＣＯの基本構造を有する場合があるが、Ｓｐａｉｎｋ，  Ｃｒｉｔ．  Ｒｅｖ．  Ｐｌａｎｔ  Ｓｃｉ．  ５４：２５７  （２０００）に記載されるもののような、１もしくは複数の修飾または置換を含む。ＬＣＯ及びＬＣＯを構築するための前駆体（例えばＣＯであり、ＣＯはそれ自体生物学的に活性な成分として有用である場合がある）は、遺伝子操作された生物によって合成することができる。例えば、Ｓａｍａｉｎ  ｅｔ  ａｌ．，  Ｃａｒｂｏｈｙｄｒａｔｅ  Ｒｅｓ．  ３０２：３５  （１９９７）；Ｃｏｔｔａｚ  ｅｔ  ａｌ．，  Ｍｅｔｈ．  Ｅｎｇ．  ７（４）：３１１  （２００５）；及びＳａｍａｉｎ  ｅｔ  ａｌ．，  Ｊ．  Ｂｉｏｔｅｃｈｎｏｌ．  ７２：３３  （１９９９）（例えば、その中の図１であり、該図は異なる組み合わせの遺伝子ｎｏｄＢＣＨＬを内部に有するＥ．  ｃｏｌｉ中で組換えにより産生することができるＣＯの構造を示す）を参照されたく、その内容及び開示は参照により本明細書に援用される。
【００８３】
ＬＣＯ（及びそれらの誘導体）は、様々な形態の純度で本明細書に記載の組成物中に含まれていてもまたは利用されてもよく、且つ単独でまたはＬＣＯ産生細菌もしくは真菌の培養物の形態で用いることができる。例えば、ＯＰＴＩＭＩＺＥ（登録商標）（Ｍｏｎｓａｎｔｏ  Ｃｏｍｐａｎｙ（Ｓｔ．  Ｌｏｕｉｓ，  ＭＯ）から市販）は、ＬＣＯを産生するＢｒａｄｙｒｈｉｚｏｂｉｕｍ  ｊａｐｏｎｉｃｕｍの培養物を含有する。実質的に純粋なＬＣＯを提供する方法は、ＬＣＯと上記微生物との混合物から上記微生物細胞を除去すること、またはＬＣＯ溶媒相分離及びそれに続く、例えば米国特許第５，５４９，７１８号に記載のＨＰＬＣクロマトグラフィーによってＬＣＯ分子を継続して単離且つ精製することを含む。ＨＰＬＣを繰り返すことによって精製度を高めることができ、精製されたＬＣＯ分子は凍結乾燥して長期保存することができる。いくつかの実施形態によれば、本開示の組成物に含まれるＬＣＯ（複数可）は少なくとも０．１％、０．５％、１％、２％、３％、４％、５％、１０％、１５％、２０％、２５％、３０％、３５％、４０％、４５％、５０％、５５％、６０％、６５％、７０％、７５％、８０％、８５％、９０％、９１％、９２％、９３％、９４％、９５％、９６％、９７％、９８％、９９％、または１００％の純度である。いくつかの実施形態における組成物及び方法は、ＬＣＯの類似体、誘導体、水和物、異性体、塩、及び／または溶媒和物を含んでいてもよい。ＬＣＯは、任意且つ適宜の量（複数可）／濃度（複数可）で本開示の組成物に導入されてもよい。例えば、本開示の組成物は、約１×１０−２０Ｍ〜約１×１０−１ＭのＬＣＯ（複数可）を含む。例えば、本開示の組成物は、約１×１０−２０Ｍ、１×１０−１９Ｍ、１×１０−１８Ｍ、１×１０−１７Ｍ、１×１０−１６Ｍ、１×１０−１５Ｍ、１×１０−１４Ｍ、１×１０−１３Ｍ、１×１０−１２Ｍ、１×１０−１１Ｍ、１×１０−１０Ｍ、１×１０−９Ｍ、１×１０−８Ｍ、１×１０−７Ｍ、１×１０−６Ｍ、１×１０−５Ｍ、１×１０−４Ｍ、１×１０−３Ｍ、１×１０−２Ｍ、１×１０−１Ｍの１種または複数種のＬＣＯを含んでいてもよい。一態様において、上記ＬＣＯ濃度は、１×１０−１４Ｍ〜１×１０−５Ｍ、１×１０−１２Ｍ〜１×１０−６Ｍ、または１×１０−１０Ｍ〜１×１０−７Ｍである。一態様において、上記ＬＣＯ濃度は、１×１０−１４Ｍ〜１×１０−５Ｍ、１×１０−１２Ｍ〜１×１０−６Ｍ、または１×１０−１０Ｍ〜１×１０−７Ｍである。上記ＬＣＯの量／濃度は、上記組成物が塗布される植物の耐病性、成長、及び／または収量を高めるためなどの、植物に好ましい形質または利点を与えるために有効な量であってよい。いくつかの実施形態によれば、上記ＬＣＯの量／濃度は、ＣＯ及び／または１種もしくは複数種の農薬などの、上記組成物の１種もしくは複数種の他の成分からの有益な寄与なしには、当該植物の収量を高めることには有効ではない。
【００８４】
いくつかの実施形態における組成物は、おそらくは１種または複数種のＬＣＯとの併用で、任意且つ適宜のＣＯを含んでいてもよい。ＣＯは、ＣＯがＬＣＯの特徴であるペンダント脂肪酸鎖をもっていないという点でＬＣＯと異なる。ＣＯは、Ｎ−アセチルキトオリゴ糖と呼ばれることもあり、これもＧｌｃＮＡｃ残基から構成されるが、それによってＣＯがキチン分子［（Ｃ８Ｈ１３ＮＯ５）ｎ、ＣＡＳ番号１３９８−６１−４］及びキトサン分子［（Ｃ５Ｈ１１ＮＯ４）ｎ、ＣＡＳ番号９０１２−７６−４］とは異なるものとなる側鎖修飾を有する。例えば、Ｄ’Ｈａｅｚｅ  ｅｔ  ａｌ．，  Ｇｌｙｃｏｂｉｏｌ．  １２（６）：７９Ｒ  （２００２）；Ｄｅｍｏｎｔ  Ｃａｕｌｅｔ  ｅｔ  ａｌ．，  Ｐｌａｎｔ  Ｐｈｙｓｉｏｌ．  １２０（１）：８３  （１９９９）；Ｈａｎｅｌ  ｅｔ  ａｌ．，  Ｐｌａｎｔａ  ２３２：７８７  （２０１０）；Ｍｕｌｌｅｒ  ｅｔ  ａｌ．，  Ｐｌａｎｔ  Ｐｈｙｓｉｏｌ．  １２４：７３３  （２０００）；Ｒｏｂｉｎａ  ｅｔ  ａｌ．，  Ｔｅｔｒａｈｅｄｒｏｎ  ５８：５２１  ５３０  （２００２）；Ｒｏｕｇｅ  ｅｔ  ａｌ．，  Ｄｏｃｋｉｎｇ  ｏｆ  Ｃｈｉｔｉｎ  Ｏｌｉｇｏｍｅｒｓ  ａｎｄ  Ｎｏｄ  Ｆａｃｔｏｒｓ  ｏｎ  Ｌｅｃｔｉｎ  Ｄｏｍａｉｎｓ  ｏｆ  ｔｈｅ  ＬｙｓＭ−ＲＬＫ  Ｒｅｃｅｐｔｏｒｓ  ｉｎ  ｔｈｅ  Ｍｅｄｉｃａｇｏ−Ｒｈｉｚｏｂｉｕｍ  Ｓｙｍｂｉｏｓｉｓ，  ｉｎ  Ｔｈｅ  Ｍｏｌｅｃｕｌａｒ  Ｉｍｍｕｎｏｌｏｇｙ  ｏｆ  Ｃｏｍｐｌｅｘ  Ｃａｒｂｏｈｙｄｒａｔｅｓ−３  （Ｓｐｒｉｎｇｅｒ  Ｓｃｉｅｎｃｅ，  ２０１１）；Ｖａｎ  ｄｅｒ  Ｈｏｌｓｔ  ｅｔ  ａｌ．，  Ｃｕｒｒ．  Ｏｐｉｎ．  Ｓｔｒｕｃ．  Ｂｉｏｌ．  １１：６０８  （２００１）；及びＷａｎ  ｅｔ  ａｌ．，  Ｐｌａｎｔ  Ｃｅｌｌ  ２１：１０５３  （２００９）を参照されたく、それらの内容及び開示は参照により援用される。ＣＯは任意且つ適宜の供給源から得ることができる。例えば、上記ＣＯはＬＣＯから誘導することができる。例えば、一態様において、組成物は、Ａｚｏｒｈｉｚｏｂｉｕｍ、Ｂｒａｄｙｒｈｉｚｏｂｉｕｍ（例えば、Ｂ．  ｊａｐｏｎｉｃｕｍ）、Ｍｅｓｏｒｈｉｚｏｂｉｕｍ、Ｒｈｉｚｏｂｉｕｍ（例えば、Ｒ．  ｌｅｇｕｍｉｎｏｓａｒｕｍ）、Ｓｉｎｏｒｈｉｚｏｂｉｕｍ（例えば、Ｓ．  ｍｅｌｉｌｏｔｉ）、またはｍｙｃｏｒｈｉｚｚａｌ  ｆｕｎｇｉ（例えば、Ｇｌｏｍｕｓ  ｉｎｔｒａｒａｄｉｃｕｓ）株から得られた（すなわち、単離及び／または精製された）ＬＣＯに由来する１種または複数種のＣＯを含む。あるいは、上記ＣＯは合成品であってもよい。組換えＣＯの調製方法は当技術分野において公知である。例えば、Ｃｏｔｔａｚ  ｅｔ  ａｌ．，  Ｍｅｔｈ．  Ｅｎｇ．  ７（４）：３１１  （２００５）；Ｓａｍａｉｎ  ｅｔ  ａｌ．，  Ｃａｒｂｏｈｙｄｒａｔｅ  Ｒｅｓ．  ３０２：３５  （１９９７）；ａｎｄ  Ｓａｍａｉｎ  ｅｔ  ａｌ．，  Ｊ．  Ｂｉｏｔｅｃｈｎｏｌ．  ７２：３３  （１９９９），を参照されたく、その内容及び開示は参照により本明細書に援用される。
【００８５】
ＣＯ（及びそれらの誘導体）は、様々な形態の純度で本明細書に記載の組成物中に含まれていてもまたは利用されてもよく、且つ単独でまたはＣＯ産生細菌もしくは真菌の培養物の形態で用いることができる。いくつかの実施形態によれば、組成物に含まれるＣＯ（複数可）は、少なくとも０．１％、０．５％、１％、２％、３％、４％、５％、６％、７％、８％、９％、１０％、１５％、２０％、３０％、４０％、５０％、６０％、７０％、７５％、８０％、８５％、９０％、９１％、９２％、９３％、９４％、９５％、９６％、９７％、９８％、９９％、９９．５％またはそれ以上の純度である。本開示の組成物及び方法は、ＣＯの水和物、異性体、塩、及び／または溶媒和物を含んでいてもよいことを理解されたい。いくつかの実施形態におけるＣＯは、任意且つ適宜の量（複数可）／濃度（複数可）で組成物に導入されてもよい。例えば、いくつかの実施形態における組成物は、約１×１０−２０Ｍ〜約１×１０−１ＭのＣＯ、例えば約１×１０−２０Ｍ、約１×１０−１９Ｍ、１×１０−１８Ｍ、１×１０−１７Ｍ、１×１０−１６Ｍ、１×１０−１５Ｍ、１×１０−１４Ｍ、１×１０−１３Ｍ、１×１０−１２Ｍ、１×１０−１１Ｍ、１×１０−１０Ｍ、１×１０−９Ｍ、１×１０−８Ｍ、１×１０−７Ｍ、１×１０−６Ｍ、１×１０−５Ｍ、１×１０−４Ｍ、１×１０−３Ｍ、１×１０−２Ｍ、または１×１０−１Ｍの１種または複数種のＣＯを含んでいてもよい。例えば、上記ＣＯ濃度は、１×１０−１４Ｍ〜１×１０−５Ｍ、１×１０−１２Ｍ〜１×１０−６Ｍ、または１×１０−１０Ｍ〜１×１０−７Ｍであってもよい。上記ＣＯの量／濃度は、土壌微生物環境、栄養素の取り込みを高める、または当該組成物が塗布される植物の成長及び／または収量を増加させることなどの、植物に好ましい形質もしくは利点を与えるまたは付与するために有効な量であってよい。いくつかの実施形態における組成物は、例えば、キチン（ＩＵＰＡＣ：Ｎ−［５−［［３−アセチルアミノ−４，５−ジヒドロキシ−６−（ヒドロキシメチル）オキサン−２−イル］メトキシメチル］−２−［［５−アセチルアミノ−４，６−ジヒドロキシ−２−（ヒドロキシメチル）オキサン−３−イル］メトキシメチル］−４−ヒドロキシ−６−（ヒドロキシメチル）オキサン−３−イル］エタンアミド）、キトサン（ＩＵＰＡＣ：５−アミノ−６−［５−アミノ−６−［５−アミノ−４，６−ジヒドロキシ−２−（ヒドロキシメチル）オキサン−３−イル］オキシ−４−ヒドロキシ−２−（ヒドロキシメチル）オキサン−３−イル］オキシ−２−（ヒドロキシメチル）オキサン−３，４−ジオール）、ならびにそれらの異性体、塩、及び溶媒和物などの１種または複数種の適宜のキチン化合物を含んでいてもよい。
【００８６】
キチン及びキトサンは、真菌の細胞壁ならびに昆虫及び甲殻類の外骨格の主成分であり、ＧｌｃＮＡｃ残基から構成される。キチン及びキトサンは市販品を入手するか、または昆虫、甲殻類の殻、もしくは真菌細胞壁から製造してもよい。キチン及びキトサンの製造方法は当技術分野において公知である。例えば、米国特許第４，５３６，２０７号（甲殻類の殻からの製造）及び第５，９６５，５４５号（カニの甲羅からの製造及び市販のキトサンの加水分解）、ならびにＰｏｃｈａｎａｖａｎｉｃｈ  ｅｔ  ａｌ．，  Ｌｅｔｔ．  Ａｐｐｌ．  Ｍｉｃｒｏｂｉｏｌ．  ３５：１７  （２００２）（真菌細胞壁からの製造）を参照されたい。
【００８７】
脱アセチル化キチン及びキトサンであって、３５％未満〜９０％超の脱アセチル化率の範囲であり、広い範囲の分子量にわたる上記キチン及びキトサン、例えば１５ｋＤ未満の低分子量キトサンオリゴマー及び０．５〜２ｋＤのキチンオリゴマー、約１５ｋＤの分子量をもつ「実用グレード」のキトサン、及び最大７０ｋＤの高分子量キトサンを得ることができる。種子処理用に配合されたキチン及びキトサン組成物が市販されている。市販品としては、例えば、ＥＬＥＸＡ（登録商標）（Ｐｌａｎｔ  Ｄｅｆｅｎｓｅ  Ｂｏｏｓｔｅｒｓ，  Ｉｎｃ．）及びＢＥＹＯＮＤ（商標）（Ａｇｒｉｈｏｕｓｅ，  Ｉｎｃ．）が挙げられる。
【００８８】
いくつかの実施形態における組成物は、アントシアニジン、アントキサンチン、カルコン、クマリン、フラバノン、フラバノノール、フラバン、及びイソフラボノイド、ならびにこれらの類似体、誘導体、水和物、異性体、ポリマー、塩、及び溶媒和物を含む、但しこれらに限定されない１種または複数種の適宜のフラボノイドを含んでいてもよい。フラボノイドは、３つの炭素の架橋によって結合された２つの芳香環の一般構造を有するフェノール化合物である。フラボノイドの種類は当該分野で公知である。例えば、Ｊａｉｎ  ｅｔ  ａｌ．，  Ｊ．  Ｐｌａｎｔ  Ｂｉｏｃｈｅｍ．  ＆  Ｂｉｏｔｅｃｈｎｏｌ．  １１：１  （２００２）；及びＳｈａｗ  ｅｔ  ａｌ．，  Ｅｎｖｉｒｏｎ．  Ｍｉｃｒｏｂｉｏｌ．  １１：１８６７  （２００６）を参照されたく、それらの内容及び開示は参照により本明細書に援用される。数種のフラボノイド化合物が市販されている。フラボノイド化合物は、例えば、米国特許第５，７０２，７５２号；第５，９９０，２９１号；及び第６，１４６，６６８号に記載されるように、植物または種子から単離してもよい。フラボノイド化合物はまた、酵母などの遺伝子操作された生物によっても産生することができる。例えば、Ｒａｌｓｔｏｎ  ｅｔ  ａｌ．，  Ｐｌａｎｔ  Ｐｈｙｓｉｏｌ．  １３７：１３７５  （２００５）を参照されたい。
【００８９】
実施形態によれば、組成物は、ブチン、エリオジクチオール、ヘスペレチン、ヘスペリジン、ホモエリオジクチオール、イソサクラネチン、ナリンゲニン、ナリンギン、ピノセンブリン、ポンシリン、サクラネチン、サクラニン、及び／またはステルビンの１種もしくは複数種などの１種または複数種のフラバノン、ジヒドロケンフェロール及び／もしくはタキシホリンなどの１種または複数種のフラバノール、１種もしくは複数種のフラバン−３−オール（例えば、カテキン（Ｃ）、カテキン３−ガレート（Ｃｇ）、エピカテキン（ＥＣ）、エピガロカテキン（ＥＧＣ）、エピカテキン３−ガレート（ＥＣｇ）、エピガロカテキン３−ガレート（ＥＧＣｇ）、エピアフゼレチン、フィセチニドール、ガロカテキン（ＧＣ）、ガロカテキン３−ガレート（ＧＣｇ）、ギブルチニドール、メスキトール、ロビネチニドール、テアフラビン−３−ガレート、テアフラビン−３’−ガレート、テアフラビン−３，３’−ジガレート、テアルビジン）、フラバン−４−オール（例えば、アピフォロール及び／もしくはルテオフォロール）、及び／またはフラバン−３，４−ジオール（例えば、ロイコシアニジン、ロイコデルフィニジン、ロイコフィセチニジン、ロイコマルビジン、ロイコペラルゴニジン、ロイコペオニジン、ロイコロビネチニジン、メラカシジン、及び／もしくはテラカシジン）などの１種または複数種のフラバン、ならびに／あるいはそれらの二量体、三量体、オリゴマー、及び／またはポリマー（例えば、１種もしくは複数種のプロアントシアニジン）、１種もしくは複数種のイソフラボンまたはフラボノイド誘導体（例えば、ビオカニンＡ、ダイゼイン、ホルモノネチン、ゲニステイン、及び／もしくはグリシテイン）、イソフラバン（例えば、エクオール、ｉｏｎｃｈｏｃａｒｐａｎｅ、及び／またはｌａｘｉｆｌｏｏｒａｎｅ）、イソフラバンジオール、イソフラベン（例えば、グラブレン、ハギニンＤ、及び／もしくは２−メトキシジュダイシン）、クメスタン（例えば、クメストロール、プリカジン、及び／もしくはウェデロラクトン）、プテロカルパン、ロエトノイド、ネオフラボノイド（例えば、カロフィロリド、クタレアゲニン、ダルベルクロミン、ダルベルジン、ニベチン）、及び／またはプテロカルパン（例えば、ビツカルピンＡ、ビツカルピンＢ、エリブラジンＡ、エリブラジンＢ、エリトラビッシンＩＩ、エリトラビッシン−１、エリクリスタガリン、グリシノール、グリセオリジン、グリセオリン、グリチルリゾール、マキアイン、メディカルピン、モリシアニン、オリエンタノール、ファセオリン、ピサチン、ストリアチン、トリホリリジン）などの１種または複数種のイソフラボノイド、ならびにそれらの組み合わせを含んでいてもよい。フラボノイド及びそれらの誘導体は、多形及び結晶形を含む、但しこれらに限定されない任意且つ適宜の形態で組成物中に含まれてもよい。フラボノイドは、任意且つ適宜の量（複数可）または濃度（複数可）で組成物中に含まれていてもよい。フラボノイド（複数可）の量／濃度は、植物に利点を与えるのに有効な量であってよく、該利点は、間接的に、土壌微生物に対する活性または植物栄養摂取及び／もしくは収量を高めることなどの他の手段を介するものであってよい。いくつかの実施形態によれば、フラボノイドの量／濃度は、当該組成物の１種または複数種の他の成分、例えばＬＣＯ、ＣＯ、及び／または１種もしくは複数種の農薬からの有益な寄与なしには、当該植物の栄養摂取または収量を高めることには有効ではない場合がある。
【００９０】
いくつかの実施形態における組成物は、ジャスモン酸（［１Ｒ−［１α，２β（Ｚ）］］−３−オキソ−２−（ペンテニル）シクロペンタン酢酸；ＪＡ）、リノール酸（（Ｚ，Ｚ）−９，１２−オクタデカジエン酸）、及び／またはリノレン酸（（Ｚ，Ｚ，Ｚ）−９，１２，１５−オクタデカトリエン酸）、ならびにそれらの類似体、誘導体、水和物、異性体、ポリマー、塩、及び溶媒和物を含む、但しこれらに限定されない、１種または複数種の適宜の非フラボノイドｎｏｄ遺伝子誘導物質（複数可）を含んでいてもよい。ジャスモン酸及びそのメチルエステル、総称としてジャスモナートとして知られるジャスモン酸メチル（ＭｅＪＡ）は、いくつかの植物（例えば、コムギ）、真菌（例えば、Ｂｏｔｒｙｏｄｉｐｌｏｄｉａ  ｔｈｅｏｂｒｏｍａｅ、Ｇｉｂｂｒｅｌｌａ  ｆｕｊｉｋｕｒｏｉ）、酵母（例えば、Ｓａｃｃｈａｒｏｍｙｃｅｓ  ｃｅｒｅｖｉｓｉａｅ）、及び細菌（例えば、Ｅｓｃｈｅｒｉｃｈｉａ  ｃｏｌｉ）中に天然に存在する、オクタデカノイド系化合物である。リノール酸及びリノレン酸が、ジャスモン酸の生合成の過程で産生される場合がある。ジャスモナート、リノール酸、及びリノレン酸（ならびにそれらの誘導体）は、根圏細菌によるｎｏｄ遺伝子発現またはＬＣＯ産生の誘導物質であることが報告されている。例えば、Ｍａｂｏｏｄ  ｅｔ  ａｌ．  Ｐｌａｎｔ  Ｐｈｙｓｉｏｌ．  Ｂｉｏｃｈｅｍ．  ４４（１１）：７５９  （２００６）；Ｍａｂｏｏｄ  ｅｔ  ａｌ．，  Ａｇｒ．  Ｊ．  ９８（２）：２８９  （２００６）；Ｍａｂｏｏｄ  ｅｔ  ａｌ．，  Ｆｉｅｌｄ  Ｃｒｏｐｓ  Ｒｅｓ．９５（２−３）：４１２  （２００６）；及びＭａｂｏｏｄ  ＆  Ｓｍｉｔｈ，  Ｌｉｎｏｌｅｉｃ  ａｎｄ  ｌｉｎｏｌｅｎｉｃ  ａｃｉｄ  ｉｎｄｕｃｅ  ｔｈｅ  ｅｘｐｒｅｓｓｉｏｎ  ｏｆ  ｎｏｄ  ｇｅｎｅｓ  ｉｎ  Ｂｒａｄｙｒｈｉｚｏｂｉｕｍ  ｊａｐｏｎｉｃｕｍ  ＵＳＤＡ  ３，  Ｐｌａｎｔ  Ｂｉｏｌ．  （２００１）を参照されたい。
【００９１】
いくつかの実施形態の組成物中に含まれていてもまたは用いられてもよいジャスモン酸、リノール酸、及びリノレン酸の誘導体としては、エステル、アミド、グリコシド、及びそれらの塩が挙げられる。代表的なエステルは、リノール酸、リノレン酸、またはジャスモン酸のカルボキシル基が−ＣＯＲ基で置換された化合物であり、ここでＲは−ＯＲ１基であり、該基中のＲ１は、Ｃ１〜Ｃ８の非分枝状または分枝状アルキル基、例えばメチル、エチル、またはプロピル基などのアルキル基；Ｃ２〜Ｃ８の非分枝状または分枝状アルケニル基などのアルケニル基；Ｃ２〜Ｃ８の非分枝状または分枝状アルキニル基などのアルキニル基；例えば、６〜１０炭素原子を有するアリール基；または例えば、４〜９の炭素原子を有するヘテロアリール基であって、その中のヘテロ原子が、例えばＮ、Ｏ、Ｐ、またはＳであってよい上記ヘテロアリール基である。代表的なアミドは、化合物であって、その中のリノール酸、リノレン酸、またはジャスモン酸のカルボキシル基が−ＣＯＲ基で置換されており、ここでＲはＮＲ２Ｒ３基であり、該基中のＲ２及びＲ３はそれぞれ独立に：水素；Ｃ１〜Ｃ８の非分枝状または分枝状アルキル基、例えばメチル、エチル、またはプロピル基などのアルキル基；Ｃ２〜Ｃ８の非分枝状または分枝状アルケニル基などのアルケニル基；Ｃ２〜Ｃ８の非分枝状または分枝状アルキニル基などのアルキニル基；例えば、６〜１０炭素原子を有するアリール基；または例えば、４〜９の炭素原子を有するヘテロアリール基であって、その中のヘテロ原子が、例えばＮ、Ｏ、Ｐ、またはＳであってよい上記ヘテロアリール基である。エステルは、カルボン酸を触媒量の鉱酸の存在下でアルコールと反応させる、酸によって触媒される求核付加などの公知の方法により製造することができる。アミドはまた、中性条件下で、ジシクロヘキシルカルボジイミド（ＤＣＣ）などのカップリング剤の存在下で、当該カルボン酸を適宜のアミンと反応させることによるなどの、公知の方法によっても製造することができる。リノール酸、リノレン酸、及びジャスモン酸の好適な塩としては、例えば、塩基付加塩が挙げられる。これらの化合物の代謝上許容される塩基塩を製造するための反応剤として用いてもよい塩基としては、アルカリ金属カチオン（例えば、カリウム及びナトリウム）及びアルカリ土類金属カチオン（例えば、カルシウム及びマグネシウム）などのカチオン由来の塩基が挙げられる。これらの塩は、リノール酸、リノレン酸、またはジャスモン酸の溶液を上記塩基の溶液と混合することによって容易に製造することができる。上記塩は溶液から沈殿させ、ろ過により収取してもよく、または当該溶媒の留去によるなどの他の手段により回収してもよい。
【００９２】
非フラボノイドｎｏｄ遺伝子誘導物質は、任意且つ適宜の量（複数可）／濃度（複数可）で組成物に導入してもよい。例えば、非フラボノイドノド遺伝子誘導物質の量／濃度は、当該組成物が塗布される植物の耐病性、成長、及び／または収量を高めることなどの、植物に好ましい形質もしくは利点を与えるまたは付与するために有効な量であってよい。いくつかの実施形態によれば、非フラボノイドｎｏｄ遺伝子誘導物質の量／濃度は、ＬＣＯ、ＣＯ、及び／または１種もしくは複数種の農薬などの、上記組成物の１種または複数種の他の成分からの有益な寄与なしには当該植物の成長及び／または収量を高めることには有効ではない場合がある。
【００９３】
いくつかの実施形態における組成物は、２Ｈ−フロ［２，３−ｃ］ピラン−２−オン、ならびにそれらの類似体、誘導体、水和物、異性体、ポリマー、塩、及び溶媒和物を含む、但しこれらに限定されないカラキンを含んでいてもよい。カラキンの生物学的に許容される塩の例としては、生物学的に許容される酸を用いて形成される酸付加塩が挙げられ、上記塩の例としては、塩酸塩、臭化水素酸塩、硫酸塩または重硫酸塩、リン酸塩またはリン酸水素塩、酢酸塩、安息香酸塩、コハク酸塩、フマル酸塩、マレイン酸塩、乳酸塩、クエン酸塩、酒石酸塩、グルコン酸塩；メタンスルホン酸塩、ベンゼンスルホン酸塩、及びｐ−トルエンスルホン酸が挙げられる。更なる生物学的に許容される金属塩としては、塩基を用いたアルカリ金属塩を挙げることができ、それらの例としてはナトリウム及びカリウム塩が挙げられる。カラキンは、任意且つ適宜の量（複数可）または濃度（複数可）で本明細書に記載の組成物に導入されてもよい。例えば、カラキンの量／濃度は、当該組成物が塗布される植物の耐病性、成長、及び／または収量を高めることなどの、植物に好ましい形質もしくは利点を与えるまたは付与するために有効な量または濃度であってよい。一態様において、カラキンの量／濃度は、当該組成物の、ＬＣＯ、ＣＯ、及び／または１種もしくは複数種の農薬などの１種または複数種の他の成分からの有益な寄与なしには、当該植物の病害抵抗性、成長、及び／または収量を高めることには有効ではない場合がある。
【００９４】
更なる組成物の成分
本明細書中に記載の固体化合物と併用での１種または複数種の任意選択の更なる活性成分に加えて、当該分野で公知の種々のアジュバント及び賦形剤が、本種子処理混合物に任意選択で利用されてもよい。例えば、限定するものではないが、水性懸濁液濃縮物の形態の組成物は、更に任意選択で、不凍剤、増粘剤、消泡剤、緩衝剤、１種または複数種の溶媒、粘弾性改質剤、及び／または分散剤もしくは湿潤剤を含有していてもよい。これらの任意選択の構成要素ならびにかかる構成要素の非限定的な市販の例についての議論は、米国特許出願公開第２０１４／０１８７４１９  Ａ１号及び第２０１５／０３４２１８９  Ａ１号に記載され、それらの内容は参照により本明細書に明示的に援用される。
【００９５】
処理された種子
別の実施形態において、例えば、３，５−二置換１，２，４−オキサジアゾールなどの固体化合物、昇華防止剤、及び任意選択で１種または複数種の本明細書に記載の更なる成分を含む、本明細書に記載の種子処理混合物で種子を処理する。一般的には、上記種子は、上述の種子処理方法の１つを用いて上記種子処理混合物で処理されている。上記種子は、上記の任意の植物種の種子であってよい。
【００９６】
一実施形態において、上記処理された種子は、少なくとも約０．０５ｍｇ／種子、より一般的には約０．０５〜約１ｍｇ／種子、更により一般的には約０．０５〜約０．５ｍｇ／種子の量の殺線虫化合物を含む。
【実施例】
【００９７】
以下の実施例は、単なる例示として考えられるべきものであり、本発明の範囲を限定することを意図するものではない。
【００９８】
実施例１
特定の化合物が、チオキサザフェン（すなわち、３−フェニル−５−（２−チエニル）−１，２，４−オキサジアゾール）を含む殺線虫組成物と併用された場合に、トウモロコシの種子の表面上でのチオキサザフェン結晶の成長を低減または排除できるかどうかを評価するための検討を実施した。
【００９９】
トウモロコシの種子を、殺真菌剤及び殺虫剤を含有する市販の製剤を含む種子処理混合物で処理した。更に、対照を除いて、上記トウモロコシの種子を、チオキサザフェンを０．５ｍｇ／種子の割合で塗布して処理した。いくつかの処理において、スチレン−アクリル共重合体（ＪＯＮＣＲＹＬ  ６２またはＪＯＮＣＲＹＬ  ６３）が含まれていた。いくつかの処理において、リグニンスルホン酸塩（ＨＹＡＣＴ）が含まれていた。いくつかの処理において、非イオン性界面活性剤（ＢＲＩＪ  Ｓ２０またはＰ−Ｌ１０１）が含まれていた。更に、いくつかの処理において、「Ｓ２０水」は、４．０ｇのＢＲＩＪ  Ｓ２０を脱イオン水（１９６．０ｇ）に溶解または分散させることによって調製し、通常の脱イオン水に代えて使用した。種子の処理を以下の表１に要約する。
【表１】
2020508059.tif 000018
【０１００】
処理９９に関しては、チオキサザフェンも更なる界面活性剤もポリマーも塗布せず、これは良好な対照となった。処理９７及び９８に関しては、更なる界面活性剤またはポリマーを含まない、殺真菌剤及び殺虫剤を含有する市販の製剤及びチオキサザフェン（０．５ｍｇ／種子の割合）を含む種子処理混合物のみを塗布した。処理９２及び９６に関しては、殺真菌剤及び殺虫剤を含有する市販の製剤及びチオキサザフェン（０．５ｍｇ／種子の割合で塗布）を含む種子処理混合物に加えて、ＨＹＡＣＴリグニンスルホン酸塩を添加した。処理９８ａ及び９８ｂに関しては、殺真菌剤及び殺虫剤を含有する市販の製剤及びチオキサザフェン（０．５ｍｇ／種子の割合で塗布）を含む種子処理混合物に加えて、それぞれＪＯＮＣＲＹＬ  ６２またはＪＯＮＣＲＹＬ  ６３  スチレン−アクリル共重合体を添加した。
【０１０１】
上記処理した種子を３５℃の真空オーブン中に６０日間保存した後、種子の画像を顕微鏡下で撮影した。この実施例で調製した処理した種子の画像を図１〜１１に示す。処理９８ａ、９８ｂ、または９９を用いて調製したトウモロコシの種子上には、チオキサザフェンの白色針状晶が見られず、処理９２を用いて調製した種子上のチオキサザフェンの白色針状晶の外観上の量は他のいくつかの処理と比較して低下した。他の処理したトウモロコシの種子上にはチオキサザフェンの白色結晶が見られた。
【０１０２】
実施例２
ＭＥＴＡＳＰＥＲＳＥ  ５００Ｌを、チオキサザフェンを含む殺線虫剤製剤と併用した場合に、トウモロコシの種子の表面上のチオキサザフェン結晶の成長を低減または排除することができるかどうかを評価するための検討を実施した。
【０１０３】
トウモロコシの種子を、殺真菌剤及び殺虫剤を含有する市販の製剤、０．５ｍｇ／種子の割合で塗布されるチオキサザフェン、及びＭＥＴＡＳＰＥＲＳＥ  ５００Ｌ昇華防止剤を含む種子処理混合物で処理した。処理の一覧及び種子処理の情報を以下の表２に示す。
【０１０４】
上記処理した種子を３５℃の真空オーブン中に９０日間保存した後、種子の画像を顕微鏡下で撮影した。処理１０〜１４を用いた種子の画像は、処理２及び３の画像と比較した場合、チオキサザフェンの白色結晶の量が劇的に減少したことを示した。対照の処理１の処理された種子上には白色結晶の成長は観察されず、処理１においては、殺真菌剤及び殺虫剤を含有する市販の製剤のみを含有する種子処理混合物を用い、チオキサザフェン製剤は塗布しなかった。
【０１０５】
この実験の結果は、ＭＥＴＡＳＰＥＲＳＥ  ５００Ｌは、昇華防止剤として使用した場合に、処理されたトウモロコシ種子上のチオオキサザフェン結晶の形成を防止または低減することができることを実証する。
【表２】
2020508059.tif 000019
【０１０６】
本発明の要素またはその好ましい実施形態（複数可）を導入する場合、冠詞「ａ」、「ａｎ」、「ｔｈｅ」、及び「ｓａｉｄ」は、１または複数の要素が存在することを意味することを意図する。用語「含む（ｃｏｍｐｒｉｓｉｎｇ）」、「含む（ｉｎｃｌｕｄｉｎｇ）」、及び「有する（ｈａｖｉｎｇ）」は包括的であることを意図し、列挙された要素以外の更なる要素が存在し得ることを意味する。
【０１０７】
上記に鑑み、本発明のいくつかの目的が達成され、他の有利な結果が達成されることが理解されよう。
【０１０８】
本発明の範囲から逸脱することなく上記製品及び方法に種々の変更を加えることができることから、上記の説明及び添付の図面に含まれる全ての事項は例示として解釈されるべきであり、限定的な意味ではない。
【図１】
2020508059.tif 000026
【図２】
2020508059.tif 000027
【図３】
2020508059.tif 000028
【図４】
2020508059.tif 000029
【図５】
2020508059.tif 000030
【図６】
2020508059.tif 000031
【図７】
2020508059.tif 000032
【図８】
2020508059.tif 000033
【図９】
2020508059.tif 000034
【図１０】
2020508059.tif 000035
【図１１】
2020508059.tif 000036
【国際調査報告】
2020508059.tif 000037
2020508059.tif 000038